(57)【要約】【課題】本開示は、張力センサ（８）及びループ部（４）を含む止血帯（１）に関する。【解決手段】ループ部は、止血帯が使用される身体部分に所期の圧力が達成されていることを保証する。張力センサは、所定のパターンに配列された複数の切り込み（２０）を含む。本開示は、複数のそのような止血帯を含むディスペンサ、及び、止血帯を含むキットにも関する。【選択図】図３
2020527381.tif 000002
【特許請求の範囲】
【請求項１】
縦方向軸を有するストリップを備える止血帯であって、前記ストリップは、前記ストリップの第１の縦方向端部におけるヘッド部と、前記ストリップの第２の縦方向端部におけるテール部と、前記ヘッド部と前記テール部との間のループ部と、を有し、前記ループ部が人又は動物の肢を取り囲むのに充分な長さを有する止血帯において、
前記ストリップは更に、第１の縦方向端部及び第２の縦方向端部を有する張力センサを含み、前記張力センサは、所定のパターンに配列された複数の切り込みを含み、前記パターンは、前記複数の切り込みの各切り込み間に画定される材料の少なくとも１つの蛇行経路を形成し、前記蛇行経路は、前記張力センサの前記第１の縦方向端部から前記張力センサの前記第２の縦方向端部まで延出し、前記複数の切り込みは、前記張力センサの前記第１の縦方向端部及び前記張力センサの前記第２の縦方向端部を連結する前記ストリップの前記材料を通る直線最短利用可能経路を妨害することを特徴とする、止血帯。
【請求項２】
前記張力センサは、第１の縦方向エッジ及び第２の縦方向エッジを含み、
前記複数の切り込みのうち第１の切り込みは、前記第１の縦方向エッジに到達し、
前記複数の切り込みのうち第２の切り込みは、前記第２の縦方向エッジに到達する、請求項１に記載の止血帯。
【請求項３】
前記ストリップは、前記肢の周径が、前記張力センサによって決定される張力に対応する所期の適切な圧力を前記肢に加えるため必要な許容可能範囲内である場合、ユーザに知らせるように適合された目印を含む、請求項１又は２に記載の止血帯。
【請求項４】
前記ループ部は、前記張力センサによって決定される前記加えられる張力に相関がある所期の圧力を前記肢に加えるため、異なる肢周径を考慮するように構成されている、請求項１から３のいずれか一項に記載の止血帯。
【請求項５】
前記ストリップは、実質的に非弾性の材料で作製されている、請求項１から４のいずれか一項に記載の止血帯。
【請求項６】
前記ストリップは、前記ヘッド部と前記ループ部との間に配置された中間部を更に含み、
前記中間部は、前記ループ部の幅よりも広い幅を有する、請求項１から５のいずれか一項に記載の止血帯。
【請求項７】
前記張力センサは、前記中間部に配置されている、請求項６に記載の止血帯。
【請求項８】
前記ストリップは、前記テール部、及び任意選択的に前記ループ部の少なくとも一部を貫通させることを可能とするように構成された開口を更に含む、請求項１から７のいずれか一項に記載の止血帯。
【請求項９】
前記複数の切り込みは、複数のスリットを含む、請求項１から８のいずれか一項に記載の止血帯。
【請求項１０】
前記スリットのうちいくつかが前記ストリップの前記縦方向軸に対して垂直に配向されるか、又は、前記スリットの全てが前記ストリップの前記縦方向端軸に対して垂直に配向されている、請求項９に記載の止血帯。
【請求項１１】
前記スリットの前記縦方向軸に対して垂直に配向された前記スリットは、複数の平行な列に配列され、
各列は、２つ以上のスリットを含む、請求項１０に記載の止血帯。
【請求項１２】
前記ストリップは、第１のストリップ層と、前記第１のストリップ層上に重ねられた第２のストリップ層と、を含み、
前記張力センサは、前記第１のストリップ層に配置されている、請求項１から１１のいずれか一項に記載の止血帯。
【請求項１３】
前記第２のストリップ層は、前記ストリップの前記横方向軸に沿って２つの別個の部分に分割されている、請求項１２に記載の止血帯。
【請求項１４】
前記第２のストリップ層は、前記第２のストリップ層の第１の縦方向エッジから前記第２のストリップ層の第２の縦方向エッジまで横切っている少なくとも１つの切り取り線を含む、請求項１２に記載の止血帯。
【請求項１５】
前記切り取り線は、前記第２のストリップ層が２つの別個の部分に分割されるようにユーザが前記止血帯を前記縦方向軸に沿って引っ張ることにより前記止血帯に張力が加えられた場合に破断するように構成されている、請求項１４に記載の止血帯。
【請求項１６】
前記第２のストリップ層は、それぞれが第１の縦方向エッジから第２の縦方向エッジまで横切っている複数の平行な切り取り線を含み、
前記第２のストリップ層は、それぞれが２つの隣接する平行な切り取り線によって画定されている多数の除去可能部分を含み、
前記第１のストリップ層は、前記ループ部の前記縦方向軸に沿って配列された複数の張力センサを含み、
各張力センサは、所定のパターンに配列された複数の切り込みを含み、
前記パターンは、前記複数の切り込みの各切り込み間に画定される材料の少なくとも１つの蛇行経路を形成し、
前記蛇行経路は、前記張力センサの前記第１の縦方向端部から前記張力センサの前記第２の縦方向端部まで延出し、
各張力センサが前記第２のストリップ層の前記除去可能部分の１つの下方に配置されていることで、前記第２のストリップ層の１つの除去可能部分が除去された場合に前記除去された部分の下方に配置された前記張力センサが動作可能となる、請求項１４に記載の止血帯。
【請求項１７】
前記複数の張力センサのうち少なくとも第１の張力センサは、前記複数の張力センサのうち第２の張力センサとは異なるヤング率を有し、
各張力センサのヤング率は、前記ループ部における前記ストリップの前記縦方向軸に沿った各張力センサの位置の関数である、請求項１６に記載の止血帯。
【請求項１８】
前記ループ部は、前記テール部の方に向かってテーパ状である幅を有する、請求項１から１７のいずれか一項に記載の止血帯。
【請求項１９】
前記ストリップの前記縦方向軸に沿って見た前記張力センサの第１の側で前記ストリップに取り付けられた圧力インジケータ要素を更に備え、
前記圧力インジケータ要素は、前記ストリップの前記縦方向軸に沿って見た場合に前記張力センサを超えて延出して、前記圧力インジケータ要素の自由端が前記ストリップの前記縦方向軸に沿って見た前記張力センサの第２の側に配置されるようになっている、請求項１から１８のいずれか一項に記載の止血帯。
【請求項２０】
前記圧力インジケータ要素は、前記ストリップを中心として折り畳み可能であり、前記止血帯の使用中に前記張力センサの上方又は下方に配置されるように適合されている、請求項１９に記載の止血帯。
【請求項２１】
前記圧力インジケータ要素は、前記ストリップの表面上に存在する１又は複数の目印と共に機能することによって所期の適切な圧力が達成された場合ユーザに視覚的に知らせるように構成されたアパーチャを含む、請求項１９及び２０のいずれか一項に記載の止血帯。
【請求項２２】
前記切り込みは、孔の形態であり、
前記ループ部は、前記ヘッド部と同一の幅を有し、
前記張力センサは、所期の張力が加えられた場合に前記ヘッド部及び前記ループ部と同一の幅となるように適合されている、請求項７に記載の止血帯。
【請求項２３】
前記ストリップは、弾性材料で作製され、
前記ループ部は、肥大パターンに設けられた複数の切り込みを含む、請求項１又は２のいずれか一項に記載の止血帯。
【請求項２４】
前記張力センサに関連付けられ、前記止血帯によって前記所期の圧力が加えられた場合に視覚的に示すように適合された少なくとも１つの目印を更に備える、請求項１から２３のいずれか一項に記載の止血帯。
【請求項２５】
前記ストリップの前記第１の縦方向エッジ上の、前記張力センサに隣接したポイントに接続されると共に、前記ストリップの前記第１の縦方向エッジに沿った、前記張力センサに隣接し前記第１のポイントとは異なる位置にある第２のポイントにも接続された少なくとも１つの限定部材を更に備え、
前記限定部材は、前記止血帯に張力が加えられた場合の前記張力センサの伸展に応じてまっすぐになるように構成され、
前記限定部材は、好ましくは前記ストリップと同一の面内に設けられている、請求項１から２４のいずれか一項に記載の止血帯。
【請求項２６】
肢に圧力を加えながら前記肢を前記ループ部が取り囲んでいる場合、前記ストリップの重複部分を留めるための手段を更に備える、請求項１から２５のいずれか一項に記載の止血帯。
【請求項２７】
請求項１から２６のいずれか一項に記載の止血帯を複数含む細長い連続止血帯バンドであって、
前記止血帯は、縦方向の端部ごとに相互に取り外し可能に接続されている、細長い連続止血帯バンド。
【請求項２８】
筐体と、前記筐体内でロール状に丸められるか又はジグザグ構成に配置されて収容された請求項２７に記載の細長い連続止血帯バンドと、を備えるディスペンサであって、
前記筐体は、開口を含み、前記開口から前記細長い連続止血帯バンドを引き出して、一度に１つの止血帯を前記細長い連続止血帯バンドの残りから分離するため露出させることができ、
好ましくは前記筐体は、殺菌された筐体である、ディスペンサ。
【請求項２９】
パッケージと、請求項１から２６のいずれか一項に記載の止血帯と、前記パッケージ内に設けられた少なくとも１つの追加の構成要素と、を備えるキットであって、
前記追加の構成要素は、好ましくは、注射器、１対の手袋、トレイ、消毒用に適合されたスワブ、１つ以上の吸収スワブ、洗浄用注射器、包帯、ガーゼ、標本袋、ガーゼ付きばんそうこう、テープ、少なくとも１つの採血管、アルコール瓶、１つ以上の綿棒、ペン、アルコールパッドや外科手術用又はフェイスマスク等の１つ以上の消毒用拭き取り布、ＩＶ延長チューブセット、鎮痛剤のような何らかの形態の薬剤、及び、ペーパークロス、から成る群から選択される、キット。
【発明の詳細な説明】
【技術分野】
【０００１】
本開示は一般に止血帯に関し、具体的には使い捨て止血帯に関する。本開示は更に、複数の止血帯を含むディスペンサと、単一の止血帯及び少なくとも１つの追加の構成要素を含むキットと、に関する。
【背景技術】
【０００２】
ヘルスケアにおいて、静脈（ＩＶ：intravenous）アクセスは最も一般的な侵襲的処置である。その目的は、薬物を供給すること、又は臨床検査のため血液サンプルを採取することである。そのような頻度の高い処置であるにもかかわらず、最初のアクセスの試みは失敗することが多い。末梢静脈カテーテル挿入の試みは最大で３回に１回は失敗することを示す報告があり、血液サンプル採取の試みも、頻度はより低いが同様に失敗しがちである。失敗によって、患者が痛みを経験し、感染のリスクが高まり、薬物の投与が可能となるまでの時間が長くなり、患者と臨床医の双方にストレスがかかり、臨床医が疾患にさらされ、時間とリソースの著しい損失を招く恐れがある。
【０００３】
例えば、静脈アクセスを試みる場合に静脈血流を制限するため、止血帯が使用される。止血帯は、静脈を拡張させるため、患者又は患畜の腕（又は別の肢）に巻かれて締め付けられる。これは、血液サンプルを抽出するため又は静脈注射を実行するための静脈の検索及び針による穿刺を容易にするのに役立つ。
【０００４】
以前から様々なタイプの止血帯が知られている。おそらく最もシンプルなものは、身体の一部に単に縛られるゴムバンドである。他のものには、弾性材料で作製され、クランプ等の留め具によって所定位置に保持されるストリップがある。一般に、これらの止血帯は再利用可能に構成されている。再利用可能な止血帯は、患者間に微生物を拡散させ、従って患者から患者へと感染をうつすリスクがあり得る。
【０００５】
再利用可能な止血帯に伴う問題は、むろん、使い捨て止血帯を用いることによって克服できる。しかしながら、再利用可能な止血帯に対抗できるためには、使い捨て止血帯の生産コストが極めて低いことが不可欠である。使い捨て止血帯の例は、ＥＰ１，７９６，５５６Ｂ１及びＵＳ５，２１９，３５６Ａで見ることができる。
【０００６】
図１は、従来技術に従った使い捨て止血帯１００の上面図を示す。止血帯１００はストリップから成り、このストリップは、ストリップの第１の縦方向端部のヘッド部２と、反対側の縦方向端部のテール部３と、を有する。図１において、ストリップの縦方向中心軸はＡと表記されている。ストリップは更に、ヘッド部２とテール部３との間のループ部４を備えている。ループ部４は肢に巻かれて肢を取り囲むように意図されている。ストリップは更に、ループ部４及びテール部３の幅よりも広い幅の中間部５を備えている。中間部５はヘッド部２とループ部との間に配置されている。中間部５は、開口を形成する横方向切り込み６を含み、この開口を、テール部と、場合によってはループ部の一部が貫通することができる。ストリップは更に、中間部５に隣接したループ部４の一部に接着剤７を含む。
【０００７】
止血帯１００を使用する場合は、患者の肢を取り囲むようにループ部を配置し、切り込み６によって形成された開口にテール部を通す。次いで、肢の周りに止血帯を締め付けるようにヘッド部及びテール部を反対方向に引っ張り、これによって肢に圧縮力をかける。その後、圧縮力が維持されるように、切り込み６を貫通しているテール部、又はループ部の一部を、ループ部に重ねて接着剤７によって留める。
【０００８】
例えば図１に示されるもののような、以前から知られている多くの技法は、加えた圧力を知るための手段を提供しない、及び／又は容易かつ正確な針の挿入を可能とする静脈の適正な拡張を生じる正確な圧力を一貫して与えないという欠点がある。これにより、静脈アクセスを得る試みが何度も不必要に失敗することになる。
【０００９】
上述の問題を解決する試みが行われている。例えばＵＳ２０１６／０２８７２６２Ａ１は、身体部分の周りに配置できるストラップを備えた静脈止血帯を開示している。ストラップは張力インジケータを備え、これを用いて、身体部分に巻かれた張力ループの近傍又は付近のストラップにおける張力をユーザによって検出することができる。張力インジケータは、ストラップの弾性部の上に配置された要素で構成されており、使用していないとき、この要素はループ状になっている。弾性部が規定の長さまで伸ばされると、ループ状要素がストラップのそれ以上の伸長（elongation）を制限し、これにより、充分な圧力が達成されたという情報をユーザに与える。しかしながらこの止血帯は、異なる肢半径に対する補償を行わないという欠点があり、結果として、生理機能とは無関係に全ての肢に同一の力が加わることになる。更にこれは、異なる特性を有し、相互に適切に留める必要のある２つの材料を使用することが必須であり、これは止血帯の製造コストを増大させる可能性がある。
【００１０】
ＵＳ２０１３／０３０４１１３Ａ１が開示する使い捨て止血帯は、薄い非伸縮性材料のバンドの形態であり、患者の肢に巻かれ、締め付けられて、所定位置に固定されるように構成されている。この止血帯は、患者の肢の周りに締め付けられたときにバンドに加えられる張力量を制御するための手段を備えている。この手段は、ユーザに把持されるタブと止血帯の残り部分とを接続する２つの可撓性脚部を含む。可撓性脚部は、タブがユーザによって引っ張られるとまっすぐになるように適合されており、これによって、インジケータ（タブから延出している）を静止部分に対して移動させ、これにより張力量が示される。この止血帯は、肢周径（leg circumference）に対する補償を行わず、また、加えられる力の方向とユーザのスキルによって影響を受けやすいので、一貫した結果が得られないリスクを生じる可能性がある。
【発明の概要】
【発明が解決しようとする課題】
【００１１】
本発明の目的は、止血帯を使用して肢の周りに締め付けた場合に所期の適切な圧力が止血帯によって加えられたことを容易かつ信頼性高く推定できる止血帯を提供することである。更に、使い捨て止血帯として使用できるように低コストで止血帯を生成することが可能でなければならない。
【課題を解決するための手段】
【００１２】
この目的は、縦方向軸を有するストリップを備える止血帯によって達成される。このストリップは、ストリップの第１の縦方向端部におけるヘッド部と、ストリップの第２の縦方向端部におけるテール部と、ヘッド部とテール部との間のループ部と、を有し、ループ部は、人又は動物の肢を取り囲むのに充分な長さを有する。ストリップは更に、縦方向軸、第１の縦方向端部、及び第２の縦方向端部を有する張力センサを含む。張力センサの縦方向中心軸は、好ましくはストリップの縦方向中心軸と一致している。張力センサは所定のパターンに配列された複数の切り込みを含み、このパターンは複数の切り込みの各切り込み間に画定されるストリップ材料の少なくとも１つの蛇行（meandering）経路を形成し、蛇行経路は張力センサの第１の縦方向端部から張力センサの第２の縦方向端部まで延出している。複数の切り込みは、張力センサの第１の縦方向端部及び張力センサの第２の縦方向端部を連結するストリップの材料を通る直線最短利用可能経路を妨害する。止血帯は好ましくは使い捨て止血帯である。
【００１３】
複数の切り込みは好ましくは、張力センサの縦方向軸に沿って見た場合、切り込みの間にストリップ材料の少なくとも２つの蛇行経路を画定するように、所定のパターンで張力センサに配列されている。蛇行経路はそれぞれ、張力センサの１つの縦方向端部から張力センサの別の縦方向端部まで延出している。２つの蛇行経路は、ストリップの縦方向中心軸に沿って相互に左右対称とすることができる。これにより、張力センサに張力を加える際、張力を均等に分散させることが容易になる。
【００１４】
張力センサは、止血帯が用いられている肢に対して止血帯により適切な圧力が加えられたときをユーザが判定できるように適合されている。
【００１５】
更に具体的には、縦方向軸に沿って止血帯に張力が加えられた場合、張力センサは、複数の切り込みを広げることにより止血帯の縦方向軸に沿って伸展する（extend）ように適合されている。複数の切り込みの結果として得られる材料パターンは、加えられる張力に対して制御された抵抗を与えると共に、止血帯における所期の適切な張力が達成されたときをユーザが決定することを可能とする。張力は、止血帯が使用されている肢にかかる圧力と相関がある。これにより、止血帯を容易に使用することができ、ユーザは使用中に加えられた圧力に関する信頼性の高い情報を受け取る。更に、止血帯は、任意選択的に複数の層を含むシートのようなシート材料から、単に所望の通り切断やスタンピングを行うことによって、容易に製造することができる。一例として、シート表面において、シートの第１の軸に縦方向軸が平行に並んで配置された複数の止血帯を同時に切り取ることができる。これにより、複数の止血帯の同時切除、印刷、及び局所的な材料使用が可能となる。これによって、使い捨て止血帯の場合に重要な課題である低い生産コストが得られる。止血帯は、ロールツーロールプロセス（roll-to-roll process）等でも生産できるので、極めて高い生産歩留まりを達成できる可能性がある。
【００１６】
張力センサは、止血帯の使用中に止血帯が使用される肢の皮膚と直接接触しないように意図されたストリップの部分に配置することができる。言い換えると、張力センサは、ストリップの別の部分に重複するように適合された部分に配置することができる。これはとりわけ、ユーザが張力を加えたときに張力センサが伸展する能力に影響を及ぼす可能性のある摩擦力が皮膚によって生じるリスクを避けるという利点を有する。あるいは張力センサは、例えばループ部等、肢の皮膚と直接接触するように意図されたストリップの部分に配置することも可能である。
【００１７】
張力センサは更に、第１の縦方向エッジ及び第２の縦方向エッジを含む。複数の切り込みのうち第１の切り込みは適宜第１の縦方向エッジに到達し、複数の切り込みのうち第２の切り込みは適宜第２の縦方向エッジに到達することができる。これは、いくつかの場合で張力センサの機能を促進することができる。また、これは、止血帯の使用が容易であるという利点を有する。
【００１８】
ストリップは、肢の周径が、張力センサによって決定される張力に対応する所期の適切な圧力を肢に加えるため必要な許容可能範囲内である場合、ユーザに知らせるように適合された１又は複数の目印（indicium）を含むことができる。これは、例えば止血帯が特定範囲内の周径を有する肢にだけ用いられるように意図されている場合、特に適している。そのような目印は、ストリップのループ部に適宜設けることができる。更に、そのような目印は、ストリップの交差ポイント、すなわち肢に圧力を加えるように肢に止血帯が使用された場合にストリップの一部が重複するポイントと共に機能するように適宜意図されている。
【００１９】
ループ部は、張力センサによって決定される加えられる張力に相関がある所期の圧力を肢に加えるため、様々な肢周径を考慮に入れるように適宜構成することができる。これにより、止血帯は、特定の肢周径又は特定範囲の肢周径での使用に限定されない。様々な肢周径を考慮に入れるようなループ部の構成は、目印の形態、ループ部の幾何学的形状の形態、又はループ部の構成部分を変更した形態とすればよい。
【００２０】
ストリップは、実質的に非弾性の材料で適宜作製することができる。これはとりわけ、止血帯の使用中にループ部におけるストリップ幅が変化しないという利点を有する。これにより、肢に所期の適切な圧力を加える際の精度が向上する。
【００２１】
ストリップは、ヘッド部とループ部との間に配置された中間部を更に含むことができる。中間部はループ部の幅よりも広い幅を有する。これは例えば、所望の場合、そのような中間部に張力センサを配置できるという利点を有する。
【００２２】
ストリップは、テール部、及び任意選択的にループ部の少なくとも一部を貫通させることを可能とするように構成された開口を更に含むことができる。開口は好ましくは閉鎖型の（enclosed）開口である。これは、開口がストリップのどの縦方向エッジにも到達しないことを意味する。開口は、ストリップの縦方向軸に沿って止血帯に張力が加えられた場合に意図しないせん断応力が張力センサに生じるリスクを最小限に抑える。
【００２３】
張力センサにおける複数の切り込みは複数のスリットを含むことができる。スリットは、孔のような他の形態の切り込みよりも有利であり得る。これは、スリットを形成する際、ストリップ材料の強度低下を招く恐れのある材料の除去を必要としないからである。しかしながらスリットは、所望の場合、端部に小さい丸い孔を設けることで、スリットの鋭い端部が分裂又は破壊の開始点として作用するリスクを低減させることも可能である。
【００２４】
スリットのうちいくつかは適宜、ストリップの縦方向軸に対して垂直に配向することができる。これはとりわけ、止血帯に張力が加えられた場合、スリットに意図されている拡大を促進する。任意選択的に、スリットの全てをストリップの縦方向端軸に対して垂直に配向してもよい。スリットの縦方向軸に対して垂直に配向されるスリットは適宜、複数の平行な列に配置することができ、各列は２つ以上のスリットを含み得る。
【００２５】
ストリップは、第１のストリップ層と、第１のストリップ層上に重ねられた第２のストリップ層と、を含むことができる。このような場合、張力センサは適宜第１のストリップ層に配置することができる。第１のストリップ層は適宜ストリップの縦方向軸全体に延出しているが、第２のストリップ層は、ストリップの縦方向軸の一部にのみ延出するか、又はストリップの縦方向の長さ全体に延出することができる。２つのストリップ層の存在は例えば、使用中に肢に対して適切な圧力が達成された場合、ユーザに視覚的に知らせるための様々な形態の目印の使用を容易にする。この代わりに又はこれに加えて、止血帯に、追加の技術的利点をその機能の形態で与えることも可能である。
【００２６】
第２のストリップ層は、例えばストリップの横方向軸に沿って２つの別個の部分に分割することができる。これにより、第１のストリップ層における張力センサの伸展に応じて２つの別個の部分が相対的に移動することが可能となる。これによって、例えば、第２のストリップ層の２つの別個の部分が相互に対して移動した場合にのみ所望の形状を形成するように意図された目印を、第２のストリップ層に設けることができる。
【００２７】
あるいは、第２のストリップ層は、第２のストリップ層の第１の縦方向エッジから第２の縦方向エッジまで横切っている少なくとも１つの切り取り線を含むことができる。切り取り線は例えば、ユーザが止血帯を引っ張り、ストリップの縦方向軸に沿って止血帯に張力が加えられた場合に破断するように意図されている。切り取り線の破断によって、上述のような第２のストリップ層の２つの別個の部分が効果的に形成される。
【００２８】
第２のストリップ層は複数の切り取り線を含むことも可能である。そのような場合、切り取り線は相互に平行であり、適宜、ストリップの縦方向軸に対して実質的に垂直に配向されている。第２のストリップ層は、それぞれが複数の切り取り線のうち２つの隣接する平行な切り取り線によって画定されている多数の除去可能部分を含む。第１及び第２のストリップ層は、切り取り線の近傍で相互に局所的に接着することができる。更に、第１のストリップ層はループ部の縦方向軸に沿って配列された複数の張力センサを含み、各張力センサは所定のパターンに配列された複数の切り込みを含み、パターンは上述のような少なくとも１つの蛇行経路を形成する。張力センサは同一の又は異なる構成を有することができる。各張力センサは、第２のストリップ層の除去可能部分の１つの下方に配置されていることで、第２のストリップ層の１つの除去可能部分が除去された場合に除去された部分の下方に配置された張力センサが動作可能となる。第２のストリップ層は、残りの張力センサが動作不可能な状態であることを保証する。これによりユーザは、ループ部の縦方向軸に沿った動作可能張力センサが配置される場所を容易に選択できる。
【００２９】
第１のストリップ層における複数の張力センサのうち少なくとも第１の張力センサは、複数の張力センサのうち第２の張力センサとは異なるヤング率を有することができる。各張力センサのヤング率は適宜、ループ部におけるストリップの縦方向軸に沿った各張力センサの位置の関数であり得る。これによって、大きく異なる肢周径を補償するように、加えられる張力を調整することができる。
【００３０】
ループ部は任意選択的に、テール部の方に向かってテーパ状である幅を有し得る。これにより、肢周径に関係なく、肢に対して適切な所期の圧力を達成することができる。例えば、子供の肢に使用されるループ部の平均幅は、大人の肢に使用されるループ部の平均幅よりも大きい。肢に加えられる圧力は、ストリップにおける張力及び肢に接触している止血帯の表面積の双方に依存する。これらの変数の一方又は双方を変更して適切な圧力を与えることができる。テール部の方に向かってテーパ状の幅を有するループ部を含む止血帯は、力が加えられる表面積の変化を用いて、加えられる圧力を補正するので、張力センサにおける力の補正は必要ない。
【００３１】
止血帯は、ストリップの縦方向軸に沿って見た張力センサの第１の側でストリップに取り付けられた圧力インジケータ要素を更に備えることができる。圧力インジケータ要素は、止血帯の別個の構成要素であるか、又はそのようなストリップの一部とすることができる。圧力インジケータ要素は、ストリップの縦方向軸に沿って見た場合に張力センサを超えて延出するのに充分な長さであり、圧力インジケータ要素の自由端がストリップの縦方向軸に沿って見た張力センサの第２の側に配置されるように適合されている。そのような圧力インジケータ要素により、ユーザは、止血帯の使用中に所期の適切な圧力が達成されたことを容易に視覚的に決定できる。圧力インジケータ要素の構成により、圧力インジケータ要素の自由端は、張力センサの伸展に応じてストリップに対して移動する。
【００３２】
圧力インジケータ要素は任意選択的にストリップを中心として折り畳み可能であり、止血帯の使用中に張力センサの上方又は下方に配置されるように適合されている。あるいは圧力インジケータ要素は、ストリップと同一の面内のようにストリップの側方に設けることも可能である。これら２つの場合、圧力インジケータ要素はストリップの縦方向エッジに取り付けることができる。あるいは圧力インジケータ要素は、自由端を有しつつ、ストリップの上に重なるようにストリップの上面に取り付けられる。
【００３３】
圧力インジケータ要素は、ストリップの表面上に存在する１又は複数の目印と共に機能することによって所期の適切な圧力が達成された場合ユーザに視覚的に知らせるように構成されたアパーチャを含むことができる。あるいは、圧力インジケータ要素の自由端は、ストリップの表面上に存在する１又は複数の目印と共に機能することによって所期の適切な圧力が達成された場合ユーザに視覚的に知らせるように構成することができる。
【００３４】
ストリップが中間部を含むと共に張力センサが中間センサに配置されている場合、複数の切り込みは孔の形態とすることができる。これらの孔は好ましくは、所期の張力が加えられた場合に張力センサが隣接するループ部及び／又はヘッド部と同一の幅となるように構成することができる。これによりユーザは、肢に対して適切な圧力が達成されたことを視覚的に決定できる。好ましくは、ヘッド部及びループ部は同一の幅を有し、この幅は張力を加える前の中間部の幅よりも小さい。
【００３５】
あるいは、ストリップを弾性材料で作製することができる。このような場合、ループ部は肥大（auxetic）パターンに設けられた複数の切り込みを含む。肥大パターンは、弾性材料が伸長された場合に生じる幅の縮小を補償又は制御する。肥大パターンは張力センサの一部とするか、又は張力センサとは異なるストリップの別個の構成要素とすることができる。
【００３６】
止血帯は更に、張力センサに関連付けられ、止血帯によって所期の圧力が加えられた場合に視覚的に示すように適合された１又は複数の目印を備えることができる。そのような１又は複数の目印は例えば、張力センサもしくはその近傍におけるプリントの形態、又は視認性の高い糸等の形態とすることができる。この場合、糸は張力センサに組み込まれ、止血帯に張力が加えられた場合に形状を変化させるように適合されている。
【００３７】
止血帯は更に、ストリップの第１の縦方向エッジ上の、張力センサに隣接したポイントに接続されると共に、ストリップの第１の縦方向エッジに沿った、張力センサに隣接し第１のポイントとは異なる位置にある第２のポイントにも接続された少なくとも１つの限定部材を備えることができる。限定部材は、止血帯に張力が加えられた場合の張力センサの伸展に応じてまっすぐになるように構成されている。限定部材は適宜、ストリップと同一の面内に設けることができる。限定部材は、患者を不快にさせるか又は患者に有害である可能性のある長さまで張力センサが伸展できないことを保証する目的を有する。
【００３８】
止血帯は適宜、肢に圧力を加えるようにストリップのループ部が肢を取り囲んでいる場合、ストリップの重複部分を留めるための手段を更に備える。ストリップの重複部分を留めるための手段の例は、限定ではないが、接着剤及び面ファスナ（hook and loop）を含む。これにより、止血帯を使用する場合にストリップの重複部分を留めるため別個の構成要素を使用する必要がなくなり、止血帯の使用が容易になると共にコストが削減する。
【００３９】
また、本発明は、上述のような止血帯を複数含む細長い連続止血帯バンドにも関する。細長い連続止血帯バンドにおいて、止血帯は縦方向の端部で相互に取り外し可能に接続されている。言い換えると、各止血帯の縦方向中心軸が止血帯バンドの縦方向中心軸と一致するように、止血帯は細長い連続止血帯バンドの縦方向軸に沿って順次配置され、止血帯は相互に取り外し可能に接続されている。これにより、各止血帯を使用しようとする場合、バンドから容易に取り外すことができる。
【００４０】
また、本発明は、筐体と、上述のような細長い連続止血帯バンドと、を備えるディスペンサにも関する。細長い連続止血帯バンドは、ロール状とするか又はジグザグ構成に配置することができ、筐体内部に収容される。筐体は開口を含み、この開口から細長い連続止血帯バンドを引き出して、一度に１つの止血帯を細長い連続止血帯バンドの残りから分離するため露出させることができる。筐体は適宜、必要に応じて殺菌された筐体とすることができる。
【００４１】
本発明は更に、殺菌することができるパッケージと、上述のような止血帯と、少なくとも１つの追加の構成要素と、を備えるキットにも関する。止血帯及び１又は複数の追加の構成要素（このうち少なくとも１つが存在する）はパッケージ内に提供される。追加の構成要素の例は、注射器、１対の手袋、トレイ、消毒用に適合されたスワブ、１つ以上の吸収スワブ、洗浄用注射器、包帯、ガーゼ、標本袋、ガーゼ付きばんそうこう、テープ、１つ以上の採血管、アルコール瓶、１つ以上の綿棒、ペン、アルコールパッドや外科手術用又はフェイスマスク等の１つ以上の消毒用拭き取り布、ＩＶ延長チューブセット、鎮痛剤のような何らかの形態の薬剤、及びペーパークロス（paper cloth）を含む。そのようなキットは、診療所で現在使用されている以前から既知のキットに取って代わることができる。更に、そのようなキットは例えば、救急車、交戦地帯、又は自然災害地域のような現場での使用に特に適している場合がある。
【００４２】
本発明に従った止血帯は主に、静脈アクセスを支援するため人又は動物の身体部分を圧迫するために使用するように意図されている。
【図面の簡単な説明】
【００４３】
【図１】従来技術に従った止血帯の上面図を示す。
【図２ａ】本発明の第１の例示的な実施形態に従った止血帯の斜視図を示す。
【図２ｂ】張力を加える前の、図２ａによる止血帯の一部の上面図を示す。
【図２ｃ】張力を加えた場合の、図２ａ及び図２ｂによる止血帯の一部の上面図を示す。
【図３】張力を加える前の、本発明の第２の例示的な実施形態に従った止血帯の一部の上面図を示す。
【図４ａ】張力を加える前の、第３の例示的な実施形態に従った止血帯の一部の上面図を示す。
【図４ｂ】張力を加えた場合の、図４ａによる止血帯の上面図を示す。
【図５ａ】肢に巻かれているが張力を加える前の、第４の例示的な実施形態に従った止血帯の斜視図を示す。
【図５ｂ】肢に巻かれた止血帯を引っ張り始めたときの、図５ａによる止血帯の斜視図を示す。
【図５ｃ】所期の張力を加え、この張力を保持した状態で留めた場合の、図５ａによる止血帯の斜視図を示す。
【図６ａ】張力を加える前の、第５の例示的な実施形態に従った止血帯の一部の上面図を示す。
【図６ｂ】張力を加えた場合の、図６ａによる止血帯の上面図を示す。
【図７ａ】張力を加える前の、第６の例示的な実施形態に従った止血帯の一部の上面図を示す。
【図７ｂ】張力を加えた場合の、図７ａによる止血帯の上面図を示す。
【図８】張力を加える前の、第７の例示的な実施形態に従った止血帯の一部の上面図を示す。
【図９】張力を加える前の、第８の例示的な実施形態に従った止血帯の一部の上面図を示す。
【図１０】張力を加える前の、第９の例示的な実施形態に従った止血帯の一部の上面図を示す。
【図１１】張力を加える前の、第１０の例示的な実施形態に従った止血帯の一部の上面図を示す。
【図１２ａ】張力を加える前の、第１１の例示的な実施形態に従った止血帯の斜視図を示す。
【図１２ｂ】張力を加える前、かつヘッド部を折り畳む前の、図１２ａによる止血帯の一部の斜視図を示す。
【図１２ｃ】使用中、かつ張力を加えた場合の、図１２ａによる止血帯の一部の斜視図を示す。
【図１３ａ】張力を加える前の、第１２の例示的な実施形態に従った止血帯の一部の斜視図を示す。
【図１３ｂ】張力を加えた場合の、図１３ａによる止血帯の斜視図を示す。
【図１４ａ】張力を加える前の、第１３の例示的な実施形態に従った止血帯の一部の斜視図を示す。
【図１４ｂ】張力を加えた場合の、図１４ａによる止血帯の斜視図を示す。
【図１５ａ】張力を加える前の、第１４の例示的な実施形態に従った止血帯の一部の上面図を示す。
【図１５ｂ】張力を加えた場合の、図１５ａによる止血帯の上面図を示す。
【図１６ａ】張力を加える前の、第１５の例示的な実施形態に従った止血帯の一部の上面図を示す。
【図１６ｂ】張力を加えた場合の、図１６ａによる止血帯の上面を示す。
【図１７ａ】第１６の例示的な実施形態に従った止血帯の一部の上面図を、拡大した部分を含めて示す。
【図１７ｂ】第１６の例示的な実施形態に従った止血帯の一部の上面図を、拡大した部分を含めて示す。
【図１８ａ】張力を加える前の、第１７の例示的な実施形態に従った止血帯の一部の上面図を示す。
【図１８ｂ】張力を加えた場合の、図１８ａによる止血帯の上面図を示す。
【図１９ａ】張力を加える前の、第１８の例示的な実施形態に従った止血帯の一部の上面図を示し、折り畳み可能圧力インジケータ要素フラップは張力センサの上で折り畳まれていない。
【図１９ｂ】張力を加える前の図１９ａによる止血帯の上面図を示すが、折り畳み可能圧力インジケータ要素は張力センサの上で折り畳まれている。
【図２０】張力を加える前の、第１９の例示的な実施形態に従った止血帯の上面図を示す。
【図２１】張力を加える前の、第２０の例示的な実施形態に従った止血帯の上面図を示す。
【図２２ａ】張力を加える前の、第２１の例示的な実施形態に従った止血帯の上面図を示す。
【図２２ｂ】張力を加える前の、肢の周りに使用した場合の、図２２ａによる止血帯の斜視図を示す。
【図２３ａ】張力を加える前の、第２２の例示的な実施形態に従った止血帯の一部の上面図を示す。
【図２３ｂ】張力を加えた場合の、図２３ａによる止血帯の上面図を示す。
【図２４ａ】第２３の例示的な実施形態に従った止血帯の斜視図を示す。
【図２４ｂ】図２４ａによる止血帯の上面図を示す。
【図２５ａ】張力を加える前の、第２４の例示的な実施形態に従った止血帯の一部の上面図を示す。
【図２５ｂ】張力を加えた場合の、図２５ａによる止血帯の上面図を示す。
【図２６】１つの例示的な実施形態に従ったディスペンサの斜視図を示す。
【図２７】１つの例示的な実施形態に従ったキットの上面図を示す。
【図２８】張力を加える前の、第２５の例示的な実施形態に従った止血帯の一部の上面図を示す。
【図２９】張力を加える前の、第２６の例示的な実施形態に従った止血帯の上面図を示す。
【発明を実施するための形態】
【００４４】
以下で、添付図面及び特定の例示的な実施形態を参照して本発明について記載する。しかしながら、本発明は示されている実施形態に限定されず、添付の特許請求の範囲の範囲内の変形が可能である。更に、１又は複数のデバイスの特徴（feature）及びその詳細をいっそう明確に示すため、いくつかの特徴は誇張される場合があるので、図面は必ずしも一定の縮尺通りに描かれていると見なされるものではない。
【００４５】
本開示において、止血帯は、肢を圧縮することによって静脈又は動脈の血流を制限及び／又は阻止するために構成されたデバイスを意味すると見なすものとする。
【００４６】
更に、本開示において「使い捨て止血帯」という用語は、一度だけの使用が意図されていることを意味すると見なすものとする。しかしながら、止血帯は所望の場合には２度以上使用され得ることを認めるべきである。しかしながらこれは、例えば２人以上の患者のため等、複数回の使用が意図されたものではない。
【００４７】
更に、本開示において「センサ」という用語は、物理的刺激に応答すると共にその物理的刺激に関して得られた情報を提供するように構成されたデバイスを記述する目的で使用される。従って「張力センサ」という用語は、本開示において、張力の形態の物理的刺激に応答すると共にこの張力に関する情報をユーザに提供するように構成されたデバイスを意味すると見なされる。張力に関する情報は、ユーザによる張力センサの目視検査によってユーザに与えることができる。
【００４８】
更に、本開示において「切り込み」という用語は広義に解釈され、例えばスリット、スロット、切り取り線、孔、アパーチャ等、任意の形態の貫通開口を包含するものとする。
【００４９】
本開示において「蛇行経路」という用語は、張力センサの特徴の記載と共に使用され、より具体的には、張力センサにおける複数の切り込みのパターンに関して使用される。本開示において、「蛇行」という用語は、特定の方向に対して少なくとも１度変化する曲がりくねったコース又は間接的なコースをとって前進又は進行するものと見なすこととする。従って「蛇行経路」という用語は、例えば正弦波又はＳ字形（serpentine）コース、方形正弦波コース、ジグザグ形コース、台形正弦波コース、ジグソー形（jig-saw-shaped）コース等を有する経路を包含すると見なすべきである。
【００５０】
更に、非弾性という用語は本開示において材料特性を記述する場合に使用される。しかしながら、真に非弾性である材料は存在しないことに留意するべきである。従って本開示では、「実質的に非弾性」という用語が用いられる。実質的に非弾性の材料は、材料に切れ目や巨視的欠陥等が存在しないと仮定した場合、材料の面内で人が材料を引っ張ることによって達成できる張力では伸長しない材料を意味すると見なすものとする。
【００５１】
本発明に従った止血帯は、使用中に止血帯を引っ張っているときに止血帯の所期の張力が達成された場合、ユーザに知らせるように設計されている。止血帯の所期の張力は、止血帯が使用されている身体部分に加えられる所期の圧力と相関がある。
【００５２】
本発明に従った止血帯は、第１の縦方向端部にヘッド部を有するストリップを含む。このヘッド部は適宜、止血帯が身体部分に、具体的には肢に巻かれた場合、圧力を加えるため止血帯を引っ張る際にユーザによって把持されるように意図することができる。ストリップは更に、第２の縦方向端部にテール部を備えている。テール部は、止血帯が身体部分に巻かれた場合、止血帯が身体部分を取り囲むように止血帯を引っ張る際にユーザによって把持することができる。ストリップは、ヘッド部とテール部との間に配置されたループ部も備えており、ループ部は、身体部分、特に肢を取り囲むのに充分な長さを有する。ヘッド部及びテール部のうち少なくとも一方は、止血帯の使用中に患者の肢の皮膚に直接接触せず、単にループ部に重複するように意図されている。止血帯は更に中間部も備えることができ、これは所望の場合、ループ部よりも広い幅を有する場合もあり、そうでない場合もある。そのような場合、このような中間部は、ヘッド部とループ部との間に配置することができる。更にストリップは、テール部と、場合によってはループ部の一部とを使用中に貫通させるように意図された開口を備えることができる。このような開口は、実質的に横方向の切り込みによって適宜形成すればよい。更に、開口は適宜、中間部又はヘッド部に配置することができる。更に止血帯は、適切な圧力が達成された場合に止血帯を留めるように意図された接着剤を含むことができる（例えば図１に示されている接着剤７と比較）。あるいは止血帯は、患者の肢に止血帯が巻かれた場合に止血帯の重複部分を留めるための他の何らかの手段を適宜含むことも可能である。例えば面ファスナ等、以前から既知の留め手段を用いればよい。
【００５３】
本発明に従った止血帯は、ストリップだけから構成するか、又は、ストリップと少なくとも１つの別の構成要素を含むことができる。
【００５４】
図１に示されている従来技術とは異なり、本発明に従った止血帯は、止血帯における適切な所期の張力、従って身体部分に対する所期の圧力が達成されたことをユーザに知らせるように意図された張力センサを更に備えている。張力センサは、ストリップの縦方向軸と一致する縦方向軸を適宜有する。あるいは張力センサは、ストリップの縦方向軸に平行な縦方向軸を有し得る。更に、張力センサは、第１の縦方向エッジ及び第２の縦方向エッジによって画定された幅を有する。従って、これらの縦方向エッジは張力センサの外側エッジを形成する。第１及び第２の縦方向エッジは平行とすることができるが、本発明はこれに限定されない。言い換えると、張力センサの幅は張力センサの縦方向軸に沿って一定であるか、又は張力センサの縦方向軸に沿って変動する可能性があり、例えばテーパ状や、厚い中央部を含む場合がある。いずれにせよ、張力センサの第１の縦方向エッジ及び第２の縦方向エッジは、張力センサの中心縦方向軸に沿って相互に左右対称である、すなわち、ストリップの中心縦方向軸に対して相互に左右対称である。この文脈において、張力センサの縦方向の伸展は、ストリップの縦方向軸と同一の軸に沿っていると見なされる。張力センサは、張力センサが配置されているストリップ部分におけるストリップの幅と同一の幅を適宜有することができる。しかしながら、張力センサの幅がストリップの幅と異なることも妥当であり、また、より狭い幅及びより大きい幅も妥当である。
【００５５】
張力センサは、所定のパターンに配列された複数の切り込みを含む。パターンは任意選択的に複数の異なるサブパターンを含んでもよい。止血帯が縦方向軸に沿って引っ張る力を受けた場合、切り込みはストリップの縦方向軸に沿って広がることができる。複数の切り込みのパターンは、複数の切り込みの各切り込み間に画定される材料の少なくとも１つの蛇行経路を形成する。蛇行経路は、張力センサの第１の縦方向端部から張力センサの第２の縦方向端部まで延出している。蛇行経路は、ストリップの縦方向軸に対してストリップの面内で蛇行している。言い換えると、張力センサの蛇行経路のコースは、張力センサの縦方向軸に沿って少なくとも一度、好ましくは複数回、変化する。従って、止血帯に引っ張る力が加えられた場合、張力センサはストリップの縦方向軸に沿って伸展することができる。蛇行経路は、少なくともストリップに縦方向軸に沿った張力が加えられた場合、ストリップの縦方向軸と一致するコースを有する部分を含み得ることは認められよう。
【００５６】
パターンが複数の異なるサブパターンを含む場合、これらのサブパターンは、張力センサの縦方向軸に沿って及び／又は横方向軸に沿って相互に分離させることができる。横方向軸に沿って相互に分離されている場合、サブパターンは、縦方向軸と平行に又は縦方向軸に沿って配向された１つ以上の直線状切り込みによって適宜分離される。
【００５７】
蛇行経路は、張力センサの第１の縦方向端部のポイントから張力センサの第２の縦方向端部までストリップ材料を通る最短利用可能経路を構成する。張力センサの縦方向軸に沿った方向の張力が加えられたときに張力センサが縦方向軸に沿って伸展するためには、この最短利用可能経路は、伸展前の緩和状態における張力センサの第１の縦方向端部と第２の縦方向端部との間の直線距離よりも長くなければならない。これを達成するため、使用時に張力を加える前に張力センサが緩和状態である場合は、複数の切り込みが、張力センサの第１及び第２の縦方向端部を連結するストリップ材料を通る張力センサの縦方向の直線最短利用可能経路を妨害する。張力を加えると、蛇行経路は、張力を加えた結果として部分的に又は完全にコースが変化し得る。特定の実施形態では、張力センサが充分に伸展された場合に張力センサの蛇行経路が直線状になるように、すなわちストリップの縦方向軸に対して平行になるように、張力センサは縦方向軸に沿って伸長することができる。
【００５８】
適宜、パターンは複数の蛇行経路を形成する。これらの蛇行経路は、張力センサの横方向軸に沿って見た場合に同一であり、並んで配置されている、すなわち平行である。しかしながら好ましくは、蛇行経路は、張力センサの縦方向軸に沿って見た場合、相互に左右対称とすることができる。更に、複数のサブパターン（このうち少なくとも２つは相互に異なる）から成る所定パターンに複数の切り込みが配列されている場合、蛇行経路は必ずしも同一の長さを有する必要はない。
【００５９】
所定パターンに配列された複数の切り込みによって、張力センサには、ストリップの残り部分の弾性とは異なる弾性が与えられる。更に、張力センサの所定パターンは、止血帯によって肢に加えられる所期の圧力に対応した張力を超える張力が加えられた場合、所期の圧力に対応した張力が加えられた場合に張力センサによって達成される伸展よりも大きく伸展できるように構成されている。張力が除去又は低減すると、張力センサの弾性によって張力センサは収縮し、より短い伸展状態になることができる。
【００６０】
好ましくは、張力センサの複数の切り込みのうち少なくとも第１の切り込みは第１の縦方向エッジに到達し、張力センサの複数の切り込みのうち少なくとも第２の切り込みは第２の縦方向エッジに到達する。適宜、２つ以上の切り込みが張力センサの第１の縦方向エッジに到達し、２つ以上の切り込みが張力センサの第２の縦方向エッジに到達する。しかしながら張力センサには、張力センサの双方の縦方向エッジ間に到達する切り込みは存在しない。そのような場合のセンサは破れるか又は他の不具合を生じるからである。
【００６１】
適宜、張力センサの切り込みは、張力センサの縦方向軸と張力センサの横方向軸の双方に沿って反復するパターン単位を含むパターンで与えられる。反復する場合、パターン単位は張力センサの異なる部分では異なる大きさを有し得る。あるいは、パターン単位は張力センサ全体を通して同一の大きさを有することも可能である。
【００６２】
引張応力によってセンサパターン内で移動が生じ得る。この移動は、加えられた張力の方向、加えられた張力の反対方向、加えられた張力に対して垂直方向、又はそれらの組み合わせであり、結果として、張力に沿った方向でなく垂直方向でもない運動を発生させ得る。センサパターン内で１つ以上のインジケータを使用することができ、それらの相互に関連した移動が張力情報を発生させることができる。インジケータは例えば、張力センサに組み込まれているか又は張力センサの近傍の目印、及び／又は張力センサに関連付けられた圧力インジケータとすればよい。いくつかのインジケータを有することの機能は、加えられた圧力を示すことに加えて、せん断応力が生じているか否かを示すことであり得る。これによってユーザは、せん断応力を停止させ、代わりに止血帯の縦方向軸に沿って加えられる張力を増大させることができる。
【００６３】
ストリップは、実質的に非弾性の材料によって適宜作製することができる。これは、縦方向軸に沿ったストリップの面内の張力の制御が容易であるという利点を有する。しかしながら材料は、しわ又は同様の望ましくない歪みなしで肢にきつく巻くことができる充分な可撓性を持たなければならない。適切な非弾性材料の例は、限定ではないが、紙又は紙ベースの材料、プラスチック材料等を含む。ストリップは、同じ目的に使用される以前から既知の実質的に非弾性の材料で作製することができる。止血帯は、血液を含む患者の体液に露呈されるので、破棄され燃やされる。すなわち止血帯はリサイクルされない。従って、再生可能な天然資源から製品材料を調達することは環境面で有利である。環境の目的のため、ストリップは好ましくは、紙ベースの材料、生分解性プラスチック材料、又は木質繊維及び生分解性繊維を含む複合材料で作製される。
【００６４】
あるいはストリップは、所望の場合、正のポワソン比を有する材料で作製することができる。そのようなストリップは、ストリップと同一のヤング率を有する張力センサと対にして、加えられた張力を量子化することができる。センサパターン及びこのセンサパターンに関連付けられた圧力インジケータ要素は、より高い局所圧力を発生させる弾性材料のポワソン比によって生じるバンド幅の変化を考慮するように適宜作製される。
【００６５】
止血帯によって加えられる圧力は、体表面に対する垂直力（normal force）及び力が加えられる表面積に依存する。力は、本発明に従って張力センサを用いて制御される。面積は、肢を取り囲むループ部における止血帯の表面積、すなわち肢と直接接触している面積に対応する。ループ部の実質的に非弾性の材料により、加えられる張力とは関係なくストリップの実質的に一定の幅が保証されるが、肢周径は人や動物によって様々に変動するので、所定の圧力を加えるため考慮しなければならない。本発明は、以下を含む異なる方法で肢周径を考慮することができる。
i.  許容される肢周径を制御する、
ii.  肢周径に関連して使用される力を変更する、及び／又は
iii.  肢周径に一致するようにループ部の局所幅を変更する。
肢周径を考慮するためのこういった代替的な方法は、以下に示す例示的な実施形態から明らかとなろう。
【００６６】
一例として、上記の（ｉ）で与えられる許容される肢周径の制御は、止血帯を使用できる肢周径に関してユーザに指示することにより適宜実行され得る。これは例えば、そのように止血帯又はそのパッケージにマーキングすることによって実行すればよい。そのようなマーキングは、所望の場合、張力センサに関連付けられた目印と組み合わせてもよい。あるいは、上記の（ｉ）で与えられる許容される肢周径の制御は、ループ部の適切な長さを選択することによって適宜行うことができる。これによって、より大きい周径を有する肢には止血帯を完全に巻くことができないので、そのような肢には止血帯を使用しないことが保証される。
【００６７】
一例として、肢周径に関連して使用される力の変更は、複数の切り込みのパターン及びこれに関連付けられたパターン変数、並びに切り込みの幾何学的構成を変更することによって実行できる。この代わりに又はこれに加えて、材料の選択を変更するか、又はコーティングもしくは他の補強によって局所的に補強してもよい。
【００６８】
一例として、ループ部の局所幅の変更は、ループ部の幅がテール部に向かってテーパ状になること、又は、局所的に高い圧力を加えるためループの一部の幅が狭いことを含み得る。
【００６９】
張力センサの材料及び幅は、任意選択的に、機能性を保証するため止血帯の残り部分とは異なる場合がある。代替的な材料、又は異なる密度もしくは厚さで同一の材料を用いること、又はポリマーベースのコーティング等の追加材料を局所的に利用することで、隣接部分とは無関係である一部の機能性を保証することができる。
【００７０】
しかしながら、好ましくは、張力センサはストリップと同一の材料で適宜作製することができる。実際、張力センサは単に、ストリップの所定部分に複数の切り込みを所定パターンで設けることによって実現できる。これにより製造コストが削減し、従って低コストの止血帯が可能となる。これは、使い捨て止血帯の場合には不可欠である。
【００７１】
図２ａから図２ｃに、本発明に従った止血帯の第１の例示的な実施形態が示されている。図２ａは、ストリップの中間部５の開口９にテール部３及びループ部４の一部を貫通させた後であるが、身体部分（図示せず）に対する所期の圧縮を行うため止血帯を引っ張る前の、止血帯１の斜視図である。言い換えると、図２ａは張力を加える前の止血帯を示す。図２ｂ及び図２ｃは止血帯１の一部の上面図を示す。図２ｂは、止血帯に張力を加える前、すなわち使用前の緩和状態の図を示し、図２ｃは、ストリップの縦方向両端部を実質的に反対方向に引っ張ることによりストリップの縦方向軸に沿って止血帯に張力を加えた場合の止血帯を示す。
【００７２】
止血帯１は、ヘッド部２、中間部５、ループ部４、及びテール部３を有するストリップを含む。更にストリップは、中間部５とヘッド部２との間に配置された張力センサ８を備えている。張力センサ８は、円形の孔のような孔１０の形態である複数の切り込みを含む。孔１０は所定のパターンに配列されている。パターンにおける孔は、張力センサの縦方向軸及び張力センサの横方向軸の双方に沿って反復する。孔のパターンは、個々の孔の間に画定された材料の蛇行経路を形成する。蛇行経路は、張力センサの第１の縦方向端部から第２の縦方向端部まで延出している。図２ｂにおいて、蛇行経路のうち２つが点線Ｍによって示されており、これらは実質的に正弦波状の構成を有する。図２ｂに示された蛇行経路は、ストリップの縦方向軸に沿って相互に左右対称である。図２ｃに示されているように、孔はストリップの縦方向軸に沿って広がることができる。孔は、張力センサ全体を通して同一の大きさを有するか、又は孔のパターン内の各孔の位置に応じて異なる大きさを有することができる。例えば孔の大きさは、張力センサの縦方向軸に沿った勾配で設けることができる。更に、張力センサが緩和状態にある場合（すなわちユーザによって張力を加える前）、張力センサ８の一方の縦方向端部から張力センサの反対側の縦方向端部までの材料の直線最短利用可能経路が存在しないように、パターン内の孔が配列されている。しかしながら、張力を加えることで張力センサが伸展すると、ストリップ材料には直線経路が出現できる。
【００７３】
図２ａから図２ｃに示されているように、複数の孔１０のうち第１の孔１０ａは張力センサ８の第１の縦方向エッジ８ａに到達し得る。更に、複数の孔１０のうち第２の孔１０ｂは張力センサ８の第２の縦方向エッジ８ｂに到達し得る。しかしながら、蛇行経路が得られる限り、張力センサの縦方向エッジにいずれかの孔が到達することは必須ではない。この例示的な実施形態において、縦方向エッジ８ａ及び８ｂは、止血帯に張力を加える前は相互に平行でないが、適宜、図２ｂに示されているようにストリップの縦方向軸に沿って相互に左右対称とすることができる。止血帯１を肢に巻き、テール部を開口９に貫通させたら、ユーザはヘッド部２及びテール部３を反対方向に引っ張り、これによって患者の肢の周りのループ部４に張力をかける。更に引っ張ると、張力センサ８が活性化され、孔１０が広がることで、張力センサの縦方向の長さが拡大する。図２ａから図２ｃから明らかであるように、張力センサは、止血帯の使用中、張力センサのこのバージョンが、止血帯が使用される肢とは直接接触しないが、一部がストリップの別の部分に重なるように構成されている。この特定の実施形態において、張力センサ８は、所期の張力及び圧力が得られた場合、図２ｃに示されているように張力センサの幅がヘッド部２の幅と一致するように設計され、これによって適切な張力が達成されたことをユーザに知らせる。次いでユーザは、図１を参照して記載した接着剤のような従来の留め手段によって止血帯を固定して圧力を保持することができる。
【００７４】
図３は、本発明の第２の例示的な実施形態に従った止血帯１の一部の上面図を示す。止血帯１は、ヘッド部２とループ部４との間に中間部５を備えており、中間部は、使用中にループ領域４に重なるようにテール部を貫通させるように適合された開口９を含む。開口は切り込み６によって実現することができ、横方向折り目６ｂに対して開放できるフラップ６ａが生成され、折り目６ｂはフラップ６ａのヒンジとして機能する。中間部５は更に張力センサ８を含む。従って、止血帯の使用中、張力センサ８は、止血帯が使用される肢と直接接触しない。この例示的な実施形態において、張力センサ８は所定パターンに配列された複数の切り込みを含み、これらの切り込みは横方向スリット２０の形態である。スリット２０は、ストリップの縦方向軸に対して垂直に配向された複数の列にパターン形成されており、各列は複数のスリットを含む。第１の列のスリットは隣接列のスリットに対して多少ずれているので、合流する材料が、張力センサの縦方向軸に沿った蛇行接続、言い換えると材料の蛇行経路を形成するようになっている。個々のスリットによって画定された材料の蛇行経路は、方形正弦波形を有すると見なすことができる。
【００７５】
更に、複数のスリット２０のうち少なくとも第１のスリット２０ａは、張力センサ８の第１の縦方向エッジ８ａに到達する。また、少なくとも第２のスリット２０ｂは、張力センサ８の第２の縦方向エッジ８ｂに到達する。縦方向エッジに到達するスリットが存在することで、張力センサが中間部の残り部分と同一の幅を有するにもかかわらず張力センサが動作可能であることを保証する。張力センサがストリップの隣接部分と同一の幅を有する場合にもしも縦方向エッジに到達する切り込みが存在しないと、張力センサの縦方向エッジに沿った材料の細い部分（string）が張力センサの伸展に対抗するので、張力センサは伸展することができない。また、第１のスリット２０ａは第２の縦方向エッジ８ｂに到達せず、第２のスリット２０ｂは第１の縦方向エッジ８ａに到達しないことに留意するべきである。
【００７６】
図３に示されているように、張力センサ８は更に、２つの縦方向切り込み２１ａ、２１ｂによって境界が画定された中央部２１を任意選択的に含むことができる。中央部２１は、張力センサ８の他の部分とは異なるパターンの切り込み２０’を含む。中央部２１の目的は、例えば、止血帯を引っ張っている間に所期の張力が達成されたか否かを視覚的に判定可能とする目印を含むことである。
【００７７】
図４ａは、張力を加える前、すなわち止血帯が使用前の緩和状態にある、第３の例示的な実施形態に従った止血帯の一部の上面図を示す。図４ａに示されている例示的な実施形態は図３の例示的な実施形態と同様であるが、中間部を含まず、ヘッド部２がループ部４よりも広い幅を有する点が異なっている。更に、図４ａに示されている止血帯は、適宜３つのライン２５ａ、２５ｂ、２５ｃから成る印刷された目印を含み、これらのラインは、切り込み２０’（図３と比較）によって分離された中央部２１の別々の部分に印刷されている。２つの印刷されたライン２５ａ、２５ｃは同一の縦方向ラインに沿って設けられ、中央のライン２５ｂは、周囲に印刷された２つのライン２５ａ、２５ｃの縦方向ラインと平行なラインに沿って設けられている。
【００７８】
図４ｂは、止血帯の縦方向に張力を加えた場合の、図４ａによる止血帯を示す。図に示されているように、張力によって切り込み２０は縦方向軸に沿って広がり、このため張力センサ８は、図４ａに示されている緩和状態に比べて縦方向軸に沿った長さが拡大する。更に、所期の張力が達成された場合、印刷された目印の３つのライン２５ａ、２５ｂ、２５ｃは単一ライン２５と一直線に並び、これによって、身体部分に対して適切な圧力が達成されたという情報をユーザに与える。その後ユーザは、身体部分に対する所期の圧力を維持しながら、従来の手段によって止血帯の重複部分を相互に留めることができる。
【００７９】
図５ａから図５ｃは、第４の例示的な実施形態に従った止血帯１を示し、どのように止血帯を使用するかを示している。第４の例示的な実施形態において、張力センサ８はストリップのテール部３に配置されている。これは、片手のみで止血帯を引っ張れることが望ましい場合に特に適している。以下の文書及び図５ａから図５ｃから明らかとなるように、止血帯の使用中に張力センサは肢Ｌと直接接触しない。
【００８０】
図５ａは、腕のような肢Ｌにループ部４を巻くことによって肢Ｌを取り囲んだ場合の止血帯１を示している。また、テール部は、ストリップのヘッド部２に設けられた開口を貫通しているが、まだ張力は加えられていない。テール部の貫通を可能とするため開口９が充分に幅広であるように、ヘッド部２はテール部及びループ部よりも広い幅を有する。更に、ループ部に適切な張力をかけて肢Ｌに所期の圧力を加えた後にテール部をループ部に留めることを可能とするため、テール部は接着剤７を含む。使用前は保護ライナによって適宜覆われている接着剤７は、（テール部における）ストリップの縦方向端部と張力センサ８との間に適宜配置されている。図５ａから図５ｃにおいて、張力センサ８は、複数の列に配置されたスリットの形態である複数の切り込みを含む張力センサとして図示されている。しかしながら、張力センサは、本開示に記載されている任意の構成のパターンに配置された切り込みを含むことができる。
【００８１】
図５ｂは、肢Ｌに対して適切な圧力を達成する目的でテール部を引っ張り始めたときの図５ａの止血帯を示している。この段階では、切り込み２０はまだ広がり始めていない。言い換えると、張力センサ８はまだ活性化されていない。ユーザが止血帯のテール部を引っ張り続けると、張力センサが活性化されて切り込みが広がり始め、これによって張力センサは伸展する。適切な張力が達成されたときをユーザに知らせるため、張力センサに関連付けて目印（図示せず）を設けることができる。達成された張力を維持するように、テール部を接着剤によってループ部に留めることができる。図５ｃは、テール部３を接着剤７（図５ａを参照のこと）によってループ部４に重ねて留めた場合の止血帯を示している。図５ｃからわかるように、ストリップの縦方向端部と張力センサとの間に接着剤が設けられていることで、テール部をループ部に留めた後でも、ユーザが引っ張る力を与えなくなったにもかかわらず、張力センサが張力を維持することが保証される。このため、ユーザは張力センサとこれに関連付けられた目印を見ることができ、従って、ストリップの重複部分を留めた後でも所期の圧力が達成されて維持されていることを確認できる。長時間にわたって特定の圧力の保持が必要である場合、センサパターン自体も接着性として、ロックを構成することができる。固定されたバンドは非伸展状態を維持するが、これは、センサパターンのヤング率が摩耗の関数である場合に有用である。その場合、経時的な伸展が生じることで、肢に加えられる圧力が低下するリスクがある。
【００８２】
図６ａ及び図６ｂは、第５の例示的な実施形態に従った止血帯の一部の上面図を示す。図６ａは張力を加える前の状態を示し、図６ｂは張力を加えた場合の状態を示す。第５の例示的な実施形態において、張力センサ８は止血帯１の中間部５に設けられており、中間部はヘッド部２の幅及びループ部４の幅よりも広い幅を有する。中間部は更に、テール部（図示せず）を貫通させることができる開口９を含む。図６ａに示されているように、張力センサは、張力センサの第１の縦方向エッジ８ａに到達するスリット２０ａの形態である２つの平行な切り込みと、張力センサ８の第２の縦方向エッジ８ｂに到達するスリット２０ｂの形態である２つの平行な切り込みと、を含む。スリット２０ａの一方及びスリット２０ｂの一方は、ストリップの横方向軸に沿った第１の面内に配置されている。これに対応して、スリット２０ａの他方及びスリット２０ｂの他方は、同様にストリップの横方向軸に配置された第２の面内に配置されている。言い換えると、スリット２０ａ及び２０ｂは、それぞれが２つのスリットから成る２つの平行な列に設けられていると見なすことができる。それぞれが２つのスリットを含む列の中間で、張力センサはスリット２０ｃの形態である第３の切り込みを含み、これは張力センサの縦方向エッジ８ａ、８ｂのいずれにも到達しない。第３の切り込みは２列の切り込みに対して平行である。更に、スリット２０ａ、２０ｂ、２０ｃの各々は、所望の場合、スリット端部に小さい円形の孔２６を設けることができる。このような孔２６は、スリットの端部が鋭いために破壊又は分裂の開始点として作用するリスクを低減させる目的を有する。
【００８３】
図６ｂに示されているように、止血帯の縦方向軸に沿って止血帯に張力を加えた場合、スリット２０ａ、２０ｂ、及び２０ｃは縦方向軸に沿って広がる。この結果スリット２０ｃは、とがった楕円と同様の形状となる。
【００８４】
図７ａ及び図７ｂはそれぞれ第６の例示的な実施形態に従った止血帯の一部の上面図を示す。図７ａは張力を加える前の状態を示し、図７ｂは止血帯に張力を加えた場合の状態を示す。第６の例示的な実施形態が図６ａ及び図６ｂに示されている例示的な実施形態と異なる点は、張力センサがより多くの平行な列のスリットを含み、各列がより短いより多くの切り込み（ここではスリット）を含むことである。スリットは１列おきに、張力センサの第１の縦方向エッジ８ａに到達する１つのスリットと、張力センサの第２の縦方向エッジ８ｂに到達する別のスリットと、を含む。図７ａ及び図７ｂでは、７列のスリットが示されており、それらの列のうち４つが縦方向エッジに到達するスリットを含む。
【００８５】
図８は、止血帯に張力を加える前の第７の例示的な実施形態に従った止血帯の一部の上面図を示す。第７の例示的な実施形態は、図６ａ及び図６ｂに示されている例示的な実施形態と同様である。しかしながらこれは、張力センサの縦方向エッジに到達するスリット２０ａ、２０ｂが張力センサの縦方向軸に対して垂直でなく、縦方向軸及び横方向軸に対して斜めにエッジに到達する点が異なっている（横方向軸は縦方向軸に対して垂直な軸である）。更に、円形の孔の代わりに、各スリットの端部に細長い孔２６’を設けることができる。
【００８６】
張力センサの切り込みのパターンが異なる上述の例に加えて、更に別の可能性も存在する。例えば図９は、張力センサが複数の切り込み３０を含む第８の例示的な実施形態に従った止血帯の一部の上面図を示し、各切り込みは、張力センサの縦方向軸に沿って相互に隣接した複数の半円形３０ａの形状を有する（数字の「３」を延長した形態等）。更に、２つの隣接する切り込み間に存在する材料は、材料の蛇行経路Ｍを形成する。２つの隣接する蛇行経路Ｍ、Ｍ’は、張力センサの縦方向軸に沿って相互に左右対称である。
【００８７】
図１０は、第９の例示的な実施形態に従った止血帯の一部の上面図の形態で更に別の例を示す。この例では、張力センサ８は基本的に文字Ｔの形状を有する孔３２を含み、Ｔの底部に向かってテーパ状の柱３３と、柱３３に接する部分の厚さに比べて大きい厚さの端部３４を含むＴの屋根と、を有する。Ｔ形切り込みは２列に配置されており、一方の列は他方よりもＴ形切り込みが短いことを特徴とする。各列内のＴ形切り込みは、縦方向切り込み３５によって隣接するＴ形切り込みから分離している。更に、Ｔ形切り込みの各列は、実質的に三角形の孔３６の形態である追加の切り込みによって分離している。切り込みのパターンは、切り込み間に点線Ｍで示される蛇行経路を形成する。この例示的な実施形態における蛇行経路は、張力センサ及びストリップの縦方向軸に近いコースを有する部分ＭＡを含む。
【００８８】
図１１は、第１０の例示的な実施形態に従った止血帯の一部の上面図を示す。張力センサは、複数の平行な列を含む切り込みのパターンを含み、各列は２つ以上の切り込みを含み、各切り込みはスリット２０の形態である。これらの列は、止血帯の横方向軸に沿って、すなわち張力センサの縦方向軸に対して垂直に配向されている。１列おきに、張力センサ８の第１の縦方向エッジ８ａに到達する１つのスリット２０ａと、第２の縦方向エッジ８ｂに到達する第２のスリット２０ｂと、を含む。張力センサは更に、複数の縦方向切り込み２０ｅを含む。縦方向切り込み２０ｅの各々は、張力センサの縦方向エッジに到達するスリットを含まない列のスリット２０と交差する。従って、切り込みのパターンは、張力センサの縦方向軸に沿って材料の複数の矩形蛇行経路を形成するものとして記述できる。
【００８９】
本明細書に記載される例示的な実施形態に関係なく、止血帯は、張力センサに関連付けられた少なくとも１つのインジケータを含むことができる。インジケータの例には、圧力インジケータ要素、１つの目印、又は複数の目印が含まれる。１又は複数の目印の目的は、止血帯で適切な圧力が達成されたことをユーザに視覚的に示すことである。１又は複数の目印は、例えば、止血帯によって所期の圧力が得られた場合に形状が変化するか又はその場合だけ目に見えるプリントを構成することができる。あるいはインジケータは、張力センサの上面に取り付けられたか又は張力センサ内に編み込まれたリボン又は糸を構成することができ、止血帯に張力を加える前は張力センサの切り込み間でリボン又は糸が蛇行し、所期の圧力が達成された場合はまっすぐな形状となる。以下で、いくつかの追加の例について説明する。
【００９０】
図１２ａは、生産された状態の使用前の第１１の例示的な実施形態に従った止血帯の斜視図を示す。図１２ｂは、図１２ａに従った止血帯の一部の更に詳しい図を示す。図１２ｃは、使用中に所定の張力を加えた場合の図１２ａに従った止血帯の一部の斜視図を示す。この実施形態は、肢半径の差に対する補償を例示する。
【００９１】
図１２ａに示されているように、止血帯１は、折り目４１等によってヘッド部２の縦方向端部に取り付けられた圧力インジケータ要素４０を含む。圧力インジケータ要素４０は更に自由端４０ａを含む。図１２ｃに示されているように、圧力インジケータ要素４０は止血帯の使用中にヘッド部２の上に折り畳まれて、ストリップの縦方向軸において自由端に対して張力センサが遠位に位置付けられるようになっている。言い換えると、圧力インジケータ要素はヘッド部２の上に折り畳まれた場合に張力インジケータ上に延出する。更に、圧力インジケータ要素４０がヘッド部２の上に折り畳まれた場合、圧力インジケータ要素の自由端４０ａは、張力センサ８の伸展に応じて、ストリップの縦方向軸に沿ってストリップの表面上で移動可能である。
【００９２】
圧力インジケータ要素４０は、ここではヘッド部２（又は場合によっては中間部）の上面にストリップの縦方向軸に沿って一直線に配置された３つの点４３ａ、４３ｂ、４３ｃとして示されている印刷された目印と連携するように意図されたアパーチャ４２を含む。点４３ａ、４３ｂ、４３ｃは例えば、加えられた張力レベルをユーザに知らせるように異なる色を有し得る。しかしながら、例えばパターン又は幾何学的形状のように、色付きの点以外の形態の目印が妥当である場合がある。更に、目印４３ａ、４３ｂ、４３ｃの各々は、ループ部４の上面の対応する目印４３’ａ、４３’ｂ、４３’ｃと対になっている。例えば点４３ａは目印４３’ａと同じ色を有し、点４３ｂは目印４３’ｂと同じ色を有する等である。ループ部上の目印４３’ａ、４３’ｂ、４３’ｃは、ユーザが止血帯を使用する肢の周径に関連している。
【００９３】
使用中、止血帯１は対象の肢に巻かれる。止血帯が肢の周りにぴったり巻かれると、この肢の周径に応じて、ループ部の目印４３’ａ、４３’ｂ、４３’ｃのうち１つが、切り込み６によって形成された開口に挿入される。これは、所期の適切な圧力を肢に加えるためには目印４３ａ、４３ｂ、４３ｃのうちどれが圧力インジケータ要素４０のアパーチャ４２を通して見えるべきであるかをユーザに知らせる。圧力インジケータ要素４０がヘッド部２の上に折り畳まれている状態で止血帯１に張力を加えると、張力センサ８が活性化されて伸展される。これにより、ヘッド部２の上面の印刷された目印４３ａ、４３ｂ、４３ｃとアパーチャ４２が関連しながら、圧力インジケータ要素４０が移動する。ストリップで第１の圧力が達成された場合、アパーチャ４２を通して第１の点４３ａが見える。ユーザがストリップを引っ張り続けると、張力が増大して、アパーチャ４２を通して第２の点４３ｂが見えるようになる。図１２ｃでは、圧力インジケータ要素４０のアパーチャ４２を通して点４３ｂが見えているので、ストリップは、肢周径が目印４３’ｂに対応する場合に所期の適切な張力が加えられている状態で図示されている。張力レベルの数は３よりも多くするか又は少なくすることも可能である。張力レベル、すなわちループ及び圧力インジケータ要素における目印対の数が多くなると、得られる圧力精度が高くなる。
【００９４】
図１３ａ及び図１３ｂは、第１２の例示的な実施形態に従った止血帯の一部の斜視図を示す。図１３ａは張力を加える前の止血帯を示し、図１３ｂは張力を加えた場合の止血帯を示す。図１３ｂにおいて、伸展させた張力センサ８は説明のため単に波線で示されている。張力センサ８はストリップのヘッド部２に位置しているものとして図示されている。しかしながら、張力センサを中間部に配置することも可能である。ストリップは、このストリップの縦方向軸に沿って見た張力センサの第１の側の上面において、多くの色付きボックス４６を含む印刷パターンのような印刷された目印を含む。ストリップは更に、ストリップの縦方向軸に沿って見た張力センサの第２の側のストリップの上面に取り付けられた圧力インジケータ要素４５を含む。圧力インジケータ要素は、印刷された目印と共に機能するように適合されている。図１３ｂに示されているように、圧力インジケータ要素は、張力センサを活性化させるため加えられた張力によって生じる伸展の結果として移動する。このため、圧力インジケータ要素の一部は印刷された目印に対して移動し、これによって止血帯で張力が達成されたことをユーザに知らせる。
【００９５】
図１４ａ及び図１４ｂは、第１３の例示的な実施形態に従った止血帯の一部の斜視図を示す。図１４ａは張力を加える前の止血帯を示し、図１４ｂは張力を加えた場合の止血帯を示す。この例示的な実施形態において、ストリップは、第１のストリップ層４８と、第１のストリップ層４８の上に重ねられた第２のストリップ層４９と、を含む。第２のストリップ層４９は、ストリップの第１の縦方向端部からストリップの第２の縦方向端部に達する。適宜、第１のストリップ層も、ストリップの第１の縦方向端部からストリップの第２の縦方向端部に達する（図１４ａ及び図１４ｂに示されるように意図される）が、これは必須ではない。
【００９６】
張力センサ８（図１４ｂでは活性化状態で一部が見えている）は第１のストリップ層４８に配置され、第２のストリップ層４９は、第２のストリップ層の第１の縦方向エッジから第２のストリップ層の第２の縦方向エッジまで横切っている切り取り線５０を含む。図１４ａ及び図１４ｂにおいて、切り取り線はＶの形態で第２のストリップ層を横断するように図示され、Ｖの先端は第２のストリップ層の縦方向エッジ間の中間に配置されている。しかしながら、切り取り線５０が第２のストリップ層の各縦方向エッジに到達する限り、他の形態も妥当である。切り取り線５０は、縦方向に沿って止血帯１に張力が加わって張力センサが活性化された場合に破断するように構成されている。あるいは切り取り線５０は、切り取り線５０と同様に構成された第２のストリップ層の永続的な切り込みによって置き換えてもよいことに留意するべきである。言い換えると、第２のストリップ層は２つの別個の部分に分割され、縦方向軸に沿ってストリップに張力を加えた場合、破断する必要なく同一の目的を達成する。
【００９７】
第２のストリップ層４９は更に、張力センサ８に関連付けられた、印刷された目印を含む。図１４ａ及び図１４ｂにおいて、これは、ストリップの横方向軸に沿って配置された３つのサブライン５１ａ、５１ｂ、５１ｃの形態で示されている。図１４ｂに示されているように、３つのサブラインは、止血帯で適切な張力が達成された場合に一直線に並ぶように設けられている。この適切な張力は、パターン形成された切り込みによって可能となる張力センサの所期の伸展によって決定される（図１４ａ及び図１４ｂには明確に図示されていない）。張力センサ８が活性化される前は、３つのサブラインのうち中央のサブライン５１ｂはＶの先端に設けられ、他の２つのサブライン５１ａ、５１ｃに対して平行であるが、ずれている。
【００９８】
図１５ａ、図１５ｂは、図１３ａ及び図１３ｂに示されている例示的な実施形態に対応する第１４の例示的な実施形態を示すが、印刷された色付きボックス４６が印刷されたスケール５６で置き換えられている点が異なっている。
【００９９】
図１６ａ、図１６ｂは、第１５の例示的な実施形態に従った止血帯の一部の上面図を示す。図１６ａは止血帯に張力を加える前の状態を示し、図１６ｂは止血帯に所期の適切な張力を加えた場合の状態を示す。これらの図において、張力センサ８は説明のため単に波線で示されている。しかしながら、張力センサ８は前述のように所定のパターンに設けられた切り込みを含む。張力センサは、前述の例示的な実施形態のいずれかに記載されているように、ストリップの面内で平面状とすることができる。しかしながら、張力センサは所望の場合、ストリップの面に対して起伏のある波形の形態に設けることも可能である。張力センサ８は、この張力センサの上面に目印５７を含む。目印５７は、止血帯における所期の張力に応じて張力センサが活性化されて所期の伸展まで伸展した場合にのみ所定の形状となるように構成されている。目印５７が所期の形状となったことをユーザが容易に判定できるように、例えばヘッド部２の上面に基準形状５８を印刷してもよい。
【０１００】
図１７ａ及び図１７ｂは、第１６の例示的な実施形態に従った止血帯の一部の上面図を示す。張力センサ８の切り込みは、部分拡大図に示されているような微細切り込みを含む。図１７ａ及び図１７ｂはそれぞれ、張力を加える前及び張力を加えている間の止血帯の一部を示す。この文脈において、微細切り込みは、最も長い伸展状態において１ｍｍ未満の大きさの切り込みを意味すると見なすものとする。充分な張力を加えると、切り込みの形状及び／又は配向が変化して、図１６ｂに例示されているような微細止血帯目印が現れる。このような微細目印は、適宜、達成された圧力レベル（ここではｍｍＨｇの単位で示される）を示す目印、図１６ａ及び図１６ｂに示される目印５７のような幾何学的目印を含むか、又は張力が加えられると他のタイプの目印を現すことができる。
【０１０１】
図１７ａ及び図１７ｂに示されている例示的な微細パターンにおいて、張力を加える前（図１７ａを参照のこと）に止血帯の縦方向軸又は横方向軸に沿って配向された楕円形状の非円形切り込みは、張力を加えられると（図１７ｂを参照のこと）、線形又は円形の幾何学的形状となる。線形と円形の幾何学的形状の切り込み間の視覚的コントラストは垂直に配向された楕円よりも大きいので、張力を加えた場合に目印を現すように所定の複数の切り込みを整列させればよい。
【０１０２】
この切り込みパターンに加えて、切り込みは、張力センサの縦方向軸に沿った大きい切り込みと妥当に組み合わせた場合（図４ａ及び図４ｂを参照のこと）、例えばパターン内で回転及び／又は移動することも可能である。そのようなパターンの組み合わせによって、異なる量の張力が加えられた場合に１つ又はいくつかの複合目印を現すことができる。
【０１０３】
図１８ａ及び図１８ｂはそれぞれ、張力を加える前及び張力を加えている場合の、第１７の例示的な実施形態に従った止血帯の一部の上面図を示す。第１７の例示的な実施形態は図７ａ及び図７ｂに示されている例示的な実施形態と同様であるが、ストリップが中間部を含まない点が異なっている。その代わり、張力センサ８及び開口９はストリップのヘッド部２に設けられている。更に、ストリップは、ストリップの残り部分と同一の面に配置された圧力インジケータ要素６０を含む。圧力インジケータ要素６０はヘッド部の縦方向エッジ２ａに接続され、自由端６０ａを含む。圧力インジケータ要素６０はヘッド部と同一の面内にあり、張力センサ８につながり（bridge）、図１８ａ及び図１８ｂに示されているように、例えばヘッド部の上面に印刷されたスケールと共に読み取りを行うように意図されている。言い換えると、圧力インジケータ要素６０の自由端６０ａの位置がスケール６１に対して読み取られる。この例示的な実施形態、並びに図１５ａ及び図１５ｂに示されている例示的な実施形態は、様々な圧力レベルの読み取りを可能とする利点を有し、従って、状況に応じて差圧（differential pressure）が望まれる用途に適している場合がある。
【０１０４】
図１８ａ及び図１８ｂは、張力センサ８がヘッド部の幅と同一の幅を有することを図示している。代替案として、張力センサ８の幅を縮小して、ヘッド部２の幅を局所的に拡大することなく圧力インジケータ要素６０を張力センサの横に並べて取り付けてもよい。場合によっては、ヘッド部の一定の幅は止血帯の生成を容易にすることができる。
【０１０５】
図１９ａ及び図１９ｂは、図１８ａ及び図１８ｂに示されている例示的な実施形態と同様である第１８の例示的な実施形態に従った止血帯の一部の上面図を示す。しかしながら、圧力インジケータ要素６０の代わりに、図１９ａ及び図１９ｂに示されている止血帯は、折り目６３によってヘッド部２の縦方向エッジ２ａに接続された圧力インジケータ要素タブ６２を含む。圧力インジケータ要素タブ６２は更に自由端６２ａを含む。止血帯を使用する場合、図１９ｂに示されているように、圧力インジケータ要素タブ６２は張力センサ８を覆うようにヘッド部２の上に折り畳まれる。このため、自由端６２ａは、圧力インジケータ要素タブ６２がヘッド部に接続されている折り目６３に対して張力センサの縦方向反対側に配置される。所望の場合、ヘッド部は上面に接着剤６６も含むことができる。このような接着剤の目的は、圧力インジケータ要素タブがヘッド部の上に折り畳まれた場合、確実に圧力インジケータ要素タブを所定位置にしっかりと配置することである。
【０１０６】
圧力インジケータ要素タブ６２は、自由端６２ａの近傍に例えば２つのアパーチャ６４ａ、６４ｂを含む。更に、ヘッド部は、上面に印刷された少なくとも１つの目印６５を含む。張力センサが活性化された場合、圧力インジケータ要素タブ６２の自由端６２ａは、張力センサ８の伸展の結果として縦方向軸に沿ってヘッド部と共に遠位に移動する。これにより、アパーチャ６４ａ、６４ｂは目印６５に対して移動し、これらアパーチャのうち１つを通して目印６５が見えると、ユーザは所期の張力が達成されたことを容易に確認することができる。
【０１０７】
異なる例示的な実施形態に関して上記で説明された目印及び／又は圧力インジケータ要素を含む様々なインジケータの組み合わせを用いて、フェイルセーフの圧力読み取りを保証することができる。従って、本発明は上述の特定のインジケータによって限定されない。
【０１０８】
図２０は、第１９の例示的な実施形態に従った止血帯１の上面図を示す。明確さのため、この図では張力センサ８は省略されている。しかしながら、張力センサは、先に開示された例示的な実施形態のうちいずれか１つに従うことができる。第１９の実施形態に従った止血帯は、ストリップの縦方向軸に沿って幅が変動する、より具体的には、ヘッド部２からテール部３の方へ向かってテーパ状であるループ部を含む。更に、テール部３の幅は、テール部３に接続する縦方向端部におけるループ部の幅よりも大きい。しかしながら、テール部３の幅はヘッド部の幅よりも小さい。止血帯のストリップのこの構成は、小さい周径を有する肢（例えば子供の腕）及び大きい周径を有する肢（例えば筋肉質な大人の腕）の双方において止血帯を使用することができ、かつ、双方の場合で適切な圧力を可能にするという利点を有する。この場合、小さい周径の肢にはループ部の広い幅が用いられ、大きい周径の肢にはテール部近傍のループ部の狭い幅によって所望の圧力が加えられる。この実施形態は、周径とは無関係に肢の周りに正しい平均圧力を達成するか、又は、肢周径が画定されるポイントである、テールがヘッドに挿入される孔６の近傍で又は孔６において、要求される圧力を達成することができる。テール部の方が隣接するループ部よりも幅が広いので、例えば、ストリップの縦方向軸に沿って張力を加える場合にテール部の把持を容易にすることができる。
【０１０９】
図２１は、図２０に示されている例示的な実施形態と同様の第２０の例示的な実施形態に従った止血帯の上面図を示すが、テール部の幅もループ部と同様に、ストリップの第２の縦方向端部に向かってテーパ状である。図２１では、明確さのため張力センサは省略されている。しかしながら、止血帯は、先に開示された例示的な実施形態のうちいずれか１つに従った張力センサを含むことができる。図２１に示されているストリップの構成は、様々な周径の肢を考慮に入れるという、図２０を参照して先に開示されたものと同じ利点を有する。
【０１１０】
図２２ａ及び図２２ｂは、第２１の例示的な実施形態に従った止血帯の上面図及び斜視図をそれぞれ示す。止血帯は、図７ａ及び図７ｂに示されている例示的な実施形態に関して記載された止血帯と同様である。しかしながら、ループ部４は、ループ領域４の残り部分に比べて幅が狭い領域４’も含む。領域４’は、ループ領域が肢Ｌに巻かれた場合にテール部３を貫通させるため適合された開口９の近傍に配置されている。これは図２２ｂにおいて、ユーザが開口にテール領域を貫通させたがストリップの両方の縦方向端部をまだ引っ張り始めていない状態で示されている。
【０１１１】
ループ部の残り部分に比べて異なる幅を有する領域４’の目的は、局所的に異なる圧力を得ることである。この例において、ループ部４’は、穿刺するように意図された静脈Ｖが位置している肢Ｌの部分に位置付けられている。同一の張力量を使用した場合、領域４’の幅が狭いことによって静脈Ｖに対する局所圧力が高くなり、一方で、ループ部４の残り部分の幅が広いことによって肢の残り部分にかかる圧力はより低いままである。この結果、患者の快適さを向上させることができる。
【０１１２】
様々に異なるサイズの肢、すなわち様々に異なる周径を有する肢に使用できる止血帯を有することが望ましい場合がある。図２３ａ及び図２３ｂは、これを考慮することができる本発明に従った止血帯の例示的な実施形態を示す。図２３ａは、張力を加える前のそのような止血帯の一部の上面図を示し、図２３ｂは、張力センサ８を活性化するように張力を加えた場合のそのような止血帯の一部の上面図を示す。止血帯は、第１のストリップ層７０及び第２のストリップ層７１を有するストリップを含む。第２のストリップ層は、第１のストリップ層の上に重ねられ、例えば、接着剤、局所的な融合、又は他の手段によって第１のストリップ層に取り付けられている。第２のストリップ層７１は、ループ部４上にのみ存在するか、又は第１の縦方向端部から第２の縦方向端部までストリップ全体に存在することができる。図２３ａ及び図２３ｂでは、第１のストリップ層７０の図示も可能とするため、第２のストリップ層はループ部にのみ存在するものとして示されている。第１のストリップ層７０は、ストリップの一方の縦方向端部からストリップの第２の縦方向端部まで延出している。第２のストリップ層７１は、実質的に非弾性の材料で作製され、従って止血帯に張力を加えた場合に縦方向軸に沿って伸長しない。
【０１１３】
第２の層７１は、相互に平行に配置された複数の横方向切り取り線７２を含む。各切り取り線は、ループ部の各縦方向エッジ間で止血帯の幅全体を横切る。これらの切り取り線は、例えば層７０及び７１の局所的な融合により、下にある第１のストリップ層７０に局所的な隣接部位を接合することによって達成できる。切り取り線の目的は、図２３ａにおいて第２のストリップ層７１の除去済み部分７３’で示されるように、止血帯を使用する場合にユーザによる第２の層の部分７３の除去を可能とすることである。
【０１１４】
第１の層７０は、ループ部４の縦方向軸に沿って一直線に配置された多数の張力センサ８を含む。各張力センサ８は、除去することができる第２の層７１の部分７３の直下に位置付けられている。このため、隣接した２つの切り取り線７２の間の第２のストリップ層７１の部分７３を除去すると、この除去部分の下方にある第１のストリップ層７０に配置された張力センサ８が露出し、動作可能となる。第２のストリップ層の異なる部分７３を選択することにより、ユーザは、ループ領域４の縦方向軸に沿った動作可能張力センサが配置される場所を選択できる。張力の関数としてのセンサ伸展量は、ループ領域の縦方向長さに沿って変動し得る。言い換えると、止血帯は複数の張力センサを含むものとして記載することができ、少なくとも第１の張力センサのヤング率は複数の張力センサのうち第２の張力センサのヤング率とは異なる。複数の張力センサの各張力センサのヤング率は、ストリップの縦方向軸に沿った各張力センサの位置の関数である。
【０１１５】
図２３ａ及び図２３ｂに示されているような止血帯１の使用中、動作可能となるセンサは肢周径に基づいて選択されるので、肢周径はセンサのヤング率で補償される。残りの張力センサは第２のストリップ層７１で覆われるので、止血帯に張力が加えられた場合に非アクティブのままである。更に、一度センサが動作可能となったら、目印を露呈させることができる。
【０１１６】
本明細書に記載されているような止血帯の例示的な実施形態に関係なく、止血帯は、本明細書では一般に参照番号９で示される閉鎖型の開口を含むことが好ましい。これは、テール部がループ部に重複するようにテール部を貫通可能とするように構成されている。このような閉鎖型の開口によって、張力が所期の止血帯の軸に沿って加えられ、従ってせん断応力のリスクを低減させることを保証する。しかしながら、本発明はこれに限定されない。止血帯は、ループ部が肢に巻かれた場合に確実にテール部がループ部と実質的に重複することができる他の構成を有することも可能である。図２４ａ及び図２４ｂはそのような例を示している。
【０１１７】
図２４ａは第２３の例示的な実施形態に従った止血帯の斜視図を示し、図２４ｂは図２４ａに示されている止血帯の上面図を示す。明確に図示するように意図された特徴をより明らかに示すため、これらの図では張力センサは省略されている。止血帯１は、先に検討した例示的な実施形態を参照して上述された張力センサのいずれか１つを含み得る。止血帯１は、ヘッド部２におけるストリップの第１の縦方向エッジ８０ａに第１のくぼみ７８を含む。止血帯は更に、ストリップの第２の縦方向エッジ８０ｂに複数の第２のくぼみ７９を含むことができる。第２のくぼみ７９は、ループ部４において平行に配置されている。肢に巻かれた止血帯１において所期の張力が達成された場合、第１のくぼみ７８は、ループ部４の長さに対応した第２のくぼみ７９の１つと噛み合うように適合されている。その後、テール部３又はヘッド部２を、接着剤（図示せず）等によって、いずれかの従来の方法でループ部４に留めることができる。留める際に各止血帯端部の縦方向中心軸を一致させる必要があるように留め機構を配置することで、センサパターンにおけるせん断応力は最小限に抑えられる。
【０１１８】
本発明に従った止血帯を生成するため使用されるストリップの材料は、好ましくは、先に開示された実質的に非弾性の材料である。そのような材料は、張力が加えられた場合に基本的に同一の止血帯幅を保ち、従って使用中は肢に対して一定の圧力を与える。圧力は、肢に接触している単位面積当たりの力に対応し、従って、肢に対して特定の圧力を信頼性高く加えるためには、張力を加えて止血帯を肢の周りに締め付けた場合、（少なくともループ領域で）一定の幅を保つ止血帯を有することが望ましい。
【０１１９】
しかしながら本発明は、例えばゴム又はシリコーンで作製されたストリップのように、以前から既知の止血帯で使用されるような弾性材料で作製されたストリップでも使用できる。そのような材料は通常、正のポアソン比を有し、従ってストリップの縦方向軸に沿って張力が加えられた場合に幅が縮小する。引っ張った場合にループ部において止血帯の幅が意図せず縮小するか又はこの縮小の制御が難しいと、止血帯によって加えられる圧力が変化する。そのような制御されない幅の縮小に対抗するため、ループ部は好ましくは、肥大パターンに配置された切り込みを含む。これにより、肥大パターンの切り込みが、加えられた張力に対して垂直な方向にループ部を拡大させるので、ループ部の幅の縮小は低減又は補償される。これにより、幅が一定に維持されて精密な圧力を可能とするか、又は、幅の縮小が制御されるので、特定の張力を用いる場合に様々な肢周径を補償することができる。図２５ａ及び図２５ｂはそれぞれ、張力を加える前及び張力を加えた場合の、第２４の例示的な実施形態に従った弾性材料で作製された止血帯のループ部の一部の上面図を示す。ループ部４は、孔を構成すると共に例示的な肥大パターンに設けられた複数の切り込み８３を含む。この肥大パターン領域は張力センサの一部を構成することができる。あるいは、肥大パターンに設けられた切り込み８３は張力センサの一部を形成しない。
【０１２０】
本発明に従った止血帯を適宜生成するには、バンド材料を製造し、上記で開示されたようにストリップの様々な部分並びに切り込み、スリット、孔、開口、及びアパーチャを形成するようにバンド材料を切断すればよい。止血帯は、単一の止血帯に生成することができる。しかしながら、一方の縦方向端部から別の縦方向端部まで相互に接続された複数の止血帯を含む細長いバンドを製造することも妥当であり、この場合、バンドには２つの隣接する止血帯間に切り取り線が設けられて、単一の止血帯を取得しようとするユーザが引き裂くこと等によって各止血帯を隣接する止血帯から容易に分離する／取り外すことができる。細長いバンドは、適宜、開口を含む筐体内に提供することができ、所望の場合はユーザが単一の止血帯を取得できるようにバンドをこの開口から出せばよい。この筐体は殺菌してもよい。細長いバンドは、例えば筐体内部でロール状に提供されるか、又は細長いバンドの止血帯が筐体内で実質的に平坦であり相互に重ねられるようにジグザグに配置することができる。筐体及び細長いバンドは共に止血帯ディスペンサを形成する。
【０１２１】
図２６は、開口８７を有する筐体８６を含むそのようなディスペンサ８５の一例を示す。開口８７は、殺菌されている場合がある筐体内部に存在する細長いバンドから止血帯を取り出すためのものである。パッケージ開口は堅い材料とすることができ、場合によっては金属で機能的にする（functionalise）ことができる。
【０１２２】
バンドを取り出すために用いる力によって、使用前にバンドの形状が変わる可能性がある。生産中に止血帯に折り目（crease）を生成することができ、パッケージからの止血帯の出口で止血帯を引っ張って引き裂くプロセスで、折り目は３Ｄ形態に作動され、追加の３Ｄ機能を可能とする。
【０１２３】
パッケージは、これを表面に固定できるように、ステッカ台紙をはぎ取って使用される底部の両面テープを備えることができる。これにより、片手でのバンド取り出しが容易になる。また、パッケージとの接触が減るので、臨床状況における細菌の拡散が低減する。
【０１２４】
更に、本発明に従った止血帯は、止血帯及び止血帯と共に使用することが意図された少なくとも１つの追加の構成要素を含むキットの形態で、カスタマに販売することができる。図２７はそのようなキット８８の一例の上面図を示す。キット８８は、上述のような止血帯１と、注射器８９と、注射器８９の針による穿刺の前に肢の皮膚の一部を殺菌するように意図されたスワブ９０と、を含む。止血帯１に加えて、キットは適宜、注射器８９及びスワブ９０の代わりに又はこれらに加えて他の構成要素を含み得る。そのような構成要素としては、１対の手袋、トレイ、洗浄用注射器、包帯、ガーゼ、標本袋、ガーゼ付きばんそうこう、テープ、少なくとも１つの採血管、アルコール瓶、１つ以上の綿棒、ペン、アルコールパッド、外科手術用又はフェイスマスク、ＩＶ延長チューブセット、鎮痛剤のような何らかの形態の薬剤、及びペーパークロスが挙げられる。キットは更に、内部の構成要素を収容する外側パッケージ９１も含み、そのようなパッケージは殺菌してもよい。
【０１２５】
図２８は、第２５の例示的な実施形態に従った止血帯の一部の上面図を示す。この図はヘッド部２に配置された張力センサを示すが、張力センサは上述のように止血帯の任意の部分に配置すればよい。更に、張力センサはスリットの形態の複数の切り込みを含むものとして示されているが、上記で開示された張力センサの切り込みの他の構成及びパターンも使用できる。図２８に示されているように、ストリップは更に、張力センサ８の各側において張力センサ８と同一の面内にある限定部材９５を含む。各限定部材は、張力センサの各側でストリップの縦方向エッジに接続され、ストリップの縦方向軸と一致する面内で湾曲構成の形状となっている。限定部材９５の目的は、張力センサが、患者を不快にさせる圧力のような望ましくない伸展状態まで伸展できないことを保証することである。従って限定部材は、張力センサが活性化された場合まっすぐになるが、所期の伸展よりも大きな張力センサの伸展を回避するように意図されている。しかしながら、目的通りの止血帯の通常使用の間、限定部材９５は完全にまっすぐに伸びるように意図されないことに留意するべきである。限定部材は、肢に過剰な圧力が加わることに対する追加の保護として機能する。また、限定部材は、張力センサにいっそうの弾性を与える要素として機能することができる。例えば限定部材は、伸展した張力センサが収縮するのを促進し、これによってセンサの破断を阻止することができる。
【０１２６】
図２９は、第２６の例示的な実施形態に従った止血帯の上面図を示す。図２９に示されている止血帯１は、中間部５に張力センサ８を含む。張力センサは、ヘッド部と、開口を形成する切り込み６との間に配置されている。開口は、肢を取り囲むようにループ部４が肢に巻かれる場合にテール部３を貫通させるため適合されている。しかしながら、張力センサは図２９に示されるように配置する必要はなく、上記で開示したようにストリップの縦方向軸に沿ってどこにでも配置できることに留意するべきである。更に、張力センサは、上記で開示したように所定のパターンの切り込みを含むことができ、図２９に示されているパターンに限定されない。図２９に示されている止血帯１は更に、ループ部４の上面にプリントＰを含む。プリントＰの目的は、使用できるループ領域の関連エリアをユーザに知らせることである。言い換えると、止血帯は、肢周径が所期の適切な圧力を加えるために必要な許容可能範囲内である場合、ユーザに知らせるように適合された目印を含む。従ってこの解決策は、止血帯の使用を特定の肢周径のみに限定することによって、加えられる圧力量のエラーを抑制する。プリントＰの形態の目印は、ここでは、両方向の矢印によって示される間隔として示されている。しかしながら、例えば図１２ａに示されるような他の代替案も可能である。
【０１２７】
本発明に従った止血帯は、図に示されて上記で検討された実施形態に限定されず、添付の特許請求の範囲の範囲内で変形が可能である。
【０１２８】
例えば、止血帯が所期の張力で止血帯を固定するための接着剤を含む場合、接着剤は例えば図１に示されるようにループ領域上に配置することができ、あるいは接着剤は、図５ａから図５ｃに示されるようにループ部に対して固定するためテール部に配置することができる。あるいは接着剤は、ループ部に対して固定するためヘッド部に配置してもよい。接着剤はいくつかの例では、そのように張力センサに配置してもよい。接着剤は適宜、保護用の剥がせるライナで覆うことも可能である。
【０１２９】
留め機構（接着剤等）は適宜、張力センサよりもストリップの縦方向端部の近くに配置することで、取り付けた後も張力センサの伸展を保持し、これによってセンサ値を示すことを可能とする。しかしながら、多くの場合、加えた圧力を知るのは圧力を保持するため止血帯の重複部分を留めるときだけで充分であるので、本発明はこれに限定されない。
【０１３０】
更に、止血帯は、所期の張力を留めて保持するための他のタイプの手段を含むことができる。例えば接着剤は、面ファスナ（ベルクロ（Velcro）（登録商標）としても既知である）で置き換えることができ、接着剤を参照して上述された位置のいずれに配置してもよい。所望の場合、締め金又は留め金を使用することも妥当であるが、これはあまり好適ではない。
【０１３１】
張力センサは、切り込み間に、張力センサの一方の縦方向端部から張力センサの反対側の縦方向端部まで延出しているストリップ材料の単一の蛇行経路を含み得る。しかしながらほとんどの場合、張力センサは複数の蛇行経路を含む。これらの蛇行経路は同一の長さ又は異なる長さを有し得る。例えば蛇行経路の第１のサブセットは第１の長さを有し、蛇行経路の第２のサブセットは第１の長さとは異なる第２の長さを有し得る。更に、蛇行経路は相互に平行又は非平行とすることができる。隣接した２つの蛇行経路は、張力センサの縦方向中心軸に平行な軸又は一致する軸に沿って相互に左右対称とすることができる。更に、蛇行経路は、相互に同一又は異なる幾何学的構成を有し得る。上記の所与の可能性は全て、張力センサにおける切り込みの配置の仕方の結果である。
【０１３２】
また、止血帯は、患者に対する使用中に止血帯の快適さを増すための手段も備えることができる。これは例えば、止血帯と患者の皮膚との間の摩擦を軽減するための表面コーティングを追加することで実施できる。更に、所望の場合、止血帯のエッジを丸くすること、穴を開けること、もしくは代替的な幾何学的構成とすること、又は、使用中に止血帯のエッジが患者の皮膚に損傷を与えるか又は皮膚に食い込むのを回避するように軟化プロセスを施すことも可能である。張力を加えると縦方向エッジが患者の肢から離れる方へ曲がる例では、有効ループ幅が低減して、局所圧力が増大する可能性がある。これによって、より幅の広い止血帯を、圧力を加えるためには使用せず印刷に使用することができ、例えば使用説明の印刷を可能とするという追加の利点が得られる。
【０１３３】
更に、ヘッド部及び／又はテール部に、局所摩擦を増大するための滑り止めコーティング、穴、又は突起を設けて、止血帯の使用中にこれらの部分を把持しやすくすることができる。
【０１３４】
開示された実施形態を具体的に参照して、いくつかのセンサパターンについて詳細に記載したが、本発明の範囲内で変形又は変更を実施できることは理解されよう。更に、センサパターンの挙動は、パターンの選択、それに関連する幾何学的パターン変数、材料の選択及びそれに可能な補強（限定部材で例示される）の関数である。
【０１３５】
本発明に従った止血帯は、様々な肢周径を考慮することができる。センサターゲット圧力、圧力精度、止血帯の長さ、及び止血帯の幅は、様々な肢、患者の部分母集団、及び止血帯ユーザの好みに対応するように変更することができる。より低い圧力が使用され得る部分母集団の例は子供及び高齢の患者を含むが、獣医学で扱われる特定の動物種も含み得る。好ましくは、ループ部は、様々な肢周径を考慮に入れながら、張力センサによって決定される張力に対応した所期の圧力を肢に加えるように構成することができる（例えば図１２ａから図１２ｃ、図２０、図２１、図２３ａ、及び図２３ｂを比較）。
【０１３６】
更に、本発明に従った止血帯は、本発明の範囲から逸脱することなく、特定の肢周径に、又は、より正確には特定範囲の肢周径に使用するため適合できることは、当業者によって容易に理解されよう（例えば図２９と比較）。
【図１】
2020527381.tif 000003
【図２ａ】
2020527381.tif 000004
【図２ｂ−２ｃ】
2020527381.tif 000005
【図３】
2020527381.tif 000006
【図４ａ】
2020527381.tif 000007
【図４ｂ】
2020527381.tif 000008
【図５ａ】
2020527381.tif 000009
【図５ｂ】
2020527381.tif 000010
【図５ｃ】
2020527381.tif 000011
【図６ａ】
2020527381.tif 000012
【図６ｂ】
2020527381.tif 000013
【図７ａ】
2020527381.tif 000014
【図７ｂ】
2020527381.tif 000015
【図８】
2020527381.tif 000016
【図９】
2020527381.tif 000017
【図１０】
2020527381.tif 000018
【図１１】
2020527381.tif 000019
【図１２ａ】
2020527381.tif 000020
【図１２ｂ】
2020527381.tif 000021
【図１２ｃ】
2020527381.tif 000022
【図１３ａ】
2020527381.tif 000023
【図１３ｂ】
2020527381.tif 000024
【図１４ａ】
2020527381.tif 000025
【図１４ｂ】
2020527381.tif 000026
【図１５ａ】
2020527381.tif 000027
【図１５ｂ】
2020527381.tif 000028
【図１６ａ】
2020527381.tif 000029
【図１６ｂ】
2020527381.tif 000030
【図１７ａ】
2020527381.tif 000031
【図１７ｂ】
2020527381.tif 000032
【図１８ａ】
2020527381.tif 000033
【図１８ｂ】
2020527381.tif 000034
【図１９ａ】
2020527381.tif 000035
【図１９ｂ】
2020527381.tif 000036
【図２０】
2020527381.tif 000037
【図２１】
2020527381.tif 000038
【図２２ａ】
2020527381.tif 000039
【図２２ｂ】
2020527381.tif 000040
【図２３ａ】
2020527381.tif 000041
【図２３ｂ】
2020527381.tif 000042
【図２４ａ】
2020527381.tif 000043
【図２４ｂ】
2020527381.tif 000044
【図２５ａ】
2020527381.tif 000045
【図２５ｂ】
2020527381.tif 000046
【図２６】
2020527381.tif 000047
【図２７】
2020527381.tif 000048
【図２８】
2020527381.tif 000049
【図２９】
2020527381.tif 000050
【国際調査報告】
2020527381.tif 000051
2020527381.tif 000052
2020527381.tif 000053
2020527381.tif 000054